(57)【特許請求の範囲】
【請求項１】
利用者のカードを特定するカード情報を含む参加要求を受け付ける参加要求受付手段と、
前記参加要求受付手段が受け付けた参加要求に基づいて、前記カードの利用履歴を取得する利用履歴取得手段と、
前記利用履歴取得手段が取得した利用履歴に基づいて、前記カード情報によって特定されるカードの利用者が所定のキャンペーン活動に参加可能であるか否かを判断する参加可否判断手段と、
前記参加可否判断手段が参加可能であると判断した場合に、所定の図柄を構成する複数の分割図柄の中の任意の分割図柄を選択する分割図柄選択手段と、
前記参加可否判断手段が参加可能であると判断した場合に、前記参加要求受付手段が受け付けた参加要求に含まれるカード情報にかかる第２カード情報を生成する第２カード情報生成手段と、
前記第２カード情報生成手段が生成した第２カード情報と当該第２カード情報の生成にかかるカード情報とを関連付けて記憶する記憶手段と、
前記分割図柄選択手段が選択した分割図柄に関する情報および前記第２カード情報生成手段が生成した第２カード情報を出力する分割図柄情報出力手段と、
前記分割図柄情報出力手段が出力した情報に基づいて、前記分割図柄に関する情報および前記第２カード情報を記録した、前記カードとは異なる第２カードを発行させる発行手段と、
前記カード情報または第２カード情報を含む決済要求を受け付けた場合に、受け付けた決済要求に基づいて決済処理をおこなう決済処理手段と、
を備えたことを特徴とするカード利用支援システム。
【請求項２】
利用者のカードを特定するカード情報を含む参加要求を受け付ける参加要求受付手段と、
前記参加要求受付手段が受け付けた参加要求に基づいて、前記カードの利用履歴を取得する利用履歴取得手段と、
前記利用履歴取得手段が取得した利用履歴に基づいて、前記カード情報によって特定されるカードの利用者が所定のキャンペーン活動に参加可能であるか否かを判断する参加可否判断手段と、
前記参加可否判断手段が参加可能であると判断した場合に、所定の図柄を構成する複数の分割図柄の中の任意の分割図柄を選択する分割図柄選択手段と、
前記カードの利用限度額の範囲内で利用可能な、前記カードとは別のカードに、前記分割図柄選択手段が選択した分割図柄に関する情報を記録することにより前記分割図柄に関する情報を出力する分割図柄情報出力手段と、
を備えたことを特徴とするカード利用支援システム。
【請求項３】
前記分割図柄情報出力手段が出力した分割図柄に関する情報の入力を受け付ける分割図柄情報受付手段と、
前記分割図柄情報受付手段が受け付けた分割図柄に関する情報に基づいて、前記所定の図柄の少なくとも一部を示す画像を生成する画像生成手段と、
前記画像生成手段が生成した画像を出力する出力手段と、
を備えたことを特徴とする請求項１または２に記載のカード利用支援システム。
【請求項４】
前記分割図柄情報出力手段は、前記分割図柄選択手段が選択した分割図柄の位置を指定する情報を出力し、
前記画像生成手段は、前記分割図柄情報受付手段が所定期間内に受け付けた分割図柄に関する情報によって指定される位置における分割図柄を示す画像を生成することを特徴とする請求項３に記載のカード利用支援システム。
【発明の詳細な説明】
【技術分野】
【０００１】
この発明は、クレジットカードなどのカードの利用を支援し、カードの利用促進を図ることができるカード利用支援システムに関する。
【背景技術】
【０００２】
従来、商品代金やサービス代金の支払い（ショッピング）を、たとえばクレジットカードやデビットカード（キャッシュカード）などのカードを用いたカード決済によっておこなう決済方法がある。カード決済をおこなうことによって、利用者は、たとえば多額の現金を持ち歩くことなく商品やサービスの提供を受けることができたり、小銭を取り扱うなどの煩わしさを解消できたりするため、決済に際しての高い利便性を享受することができる。
【０００３】
また、従来、これらのカードには、決済に利用する他に、現金自動支払機による小口金融（キャッシング）に用いることができるものがあった。キャッシングは短い審査時間で現金を借りることができるため、急に現金が必要になった場合に必要とする金額を用意することができる。
【０００４】
また、従来、たとえば、通常の通貨単位を有する基準電子マネーの通貨単位を独自の通貨単位に変更するための換算率である通貨レートを設定する通貨レート・通貨単位設定手段と、前記通貨レートと独自の通貨単位を有するオリジナル電子マネーを発行する電子マネー発行部と、当該オリジナル電子マネーを識別するための識別情報を含む電子マネー情報とを備え、任意に設定可能な通貨レートと独自の通貨単位を有するオリジナル電子マネーを発行してウェブサイト上における商取引を行うことができるようにした技術があった（たとえば、下記特許文献１を参照。）。
【先行技術文献】
【特許文献】
【０００５】
【特許文献１】特開２００３−０７６８５１号公報
【発明の概要】
【発明が解決しようとする課題】
【０００６】
しかしながら、上記特許文献１を含む上述した従来の技術では、クレジットカードやデビットカード（キャッシュカード）などのカードを用いておこなわれるカード決済を実現するために、これらのカードを利用者が常に持ち歩かなければならない。たとえば、利用者がクレジットカードやデビットカード（キャッシュカード）などのカードを自宅に忘れて外出した場合など、利用者がこれらのカードを所持していない場合は、カード決済をおこなうことができず、決済に際しての高い利便性を享受することはできない。
【０００７】
一方で、利用者は、クレジットカードやデビットカード（キャッシュカード）などのカードを常に持ち歩くことにより、これらのカードを盗難されたり紛失したりするという高いリスクを抱えることになる。このように、上述した従来の技術では、決済にカードを利用することにより利用者に対して決済に際しての高い利便性を提供できる反面、これらのカードを盗難されたり紛失したりするリスクを利用者に負担させてしまうという問題があった。
【０００８】
また、上述した従来の技術では、クレジットカードやデビットカード（キャッシュカード）などのカードは、商品代金やサービス代金の支払い（ショッピング）や現金自動支払機による小口金融（キャッシング）に際して用いるのみであり、クレジットカードやデビットカード（キャッシュカード）などのカード自体はエンターテインメント性に乏しい。
【０００９】
また、上述した従来の技術では、商品代金やサービス代金の支払い（ショッピング）や現金自動支払機による小口金融（キャッシング）に際してクレジットカードやデビットカード（キャッシュカード）などのカードを用いることによって利用者が容易に高い利便性を享受することができるため、この容易性がカードを作らない理由になることがあり、カード（特にクレジットカード）の利用促進を妨げる原因の一つとなることがあった。
【００１０】
すなわち、上述した従来の技術では、クレジットカードやデビットカード（キャッシュカード）などのカードを用いておこなわれる商品代金やサービス代金の支払い（ショッピング）や現金自動支払機による小口金融（キャッシング）が容易であるがために、カードの使い過ぎを危惧してカードを作らず、カード（特にクレジットカード）の利用促進を妨げることがあるという問題があった。
【００１１】
この発明は、上述した従来技術による問題点を解消するため、カードを利用することに対してエンターテインメント性を付加し、カードの利用促進を図ることができるカード利用支援システムを提供することを目的とする。
【課題を解決するための手段】
【００１２】
上述した課題を解決し、目的を達成するため、この発明にかかるカード利用支援システムは、利用者のカードを特定するカード情報を含む参加要求を受け付ける参加要求受付手段と、前記参加要求受付手段が受け付けた参加要求に基づいて、前記カードの利用履歴を取得する利用履歴取得手段と、前記利用履歴取得手段が取得した利用履歴に基づいて、前記カード情報によって特定されるカードの利用者が所定のキャンペーン活動に参加可能であるか否かを判断する参加可否判断手段と、前記参加可否判断手段が参加可能であると判断した場合に、所定の図柄を構成する複数の分割図柄の中の任意の分割図柄を選択する分割図柄選択手段と、前記分割図柄選択手段が選択した分割図柄に関する情報を出力する分割図柄情報出力手段と、を備えたことを特徴とする。
【００１３】
また、この発明にかかるカード利用支援システムは、上記の発明において、前記参加可否判断手段が参加可能であると判断した場合に、前記参加要求受付手段が受け付けた参加要求に含まれるカード情報にかかる第２カード情報を生成する第２カード情報生成手段と、前記第２カード情報生成手段が生成した第２カード情報と当該第２カード情報の生成にかかるカード情報とを関連付けて記憶する記憶手段と、を備え、前記分割図柄情報出力手段は、前記分割図柄選択手段が選択した分割図柄に関する情報および前記第２カード情報生成手段が生成した第２カード情報を出力し、さらに、前記分割図柄情報出力手段が出力した情報に基づいて、前記分割図柄に関する情報および前記第２カード情報を記録した、前記カードとは異なる第２カードを発行させる発行手段と、前記カード情報または第２カード情報を含む決済要求を受け付けた場合に、受け付けた決済要求に基づいて決済処理をおこなう決済処理手段と、を備えたことを特徴とする。
【００１４】
また、この発明にかかるカード利用支援システムは、上記の発明において、複数種類の図柄の中から任意の図柄を指定する図柄指定情報を受け付ける図柄指定情報受付手段を備え、前記分割図柄選択手段が、前記図柄指定情報受付手段が受け付けた図柄指定情報によって指定される図柄を構成する複数の分割図柄の中の任意の分割図柄を選択することを特徴とする。
【００１５】
また、この発明にかかるカード利用支援システムは、上記の発明において、前記分割図柄情報出力手段が出力した分割図柄に関する情報の入力を受け付ける分割図柄情報受付手段と、前記分割図柄情報受付手段が受け付けた分割図柄に関する情報に基づいて、前記所定の図柄の少なくとも一部を示す画像を生成する画像生成手段と、前記画像生成手段が生成した画像を出力する出力手段と、を備えたことを特徴とする。
【００１６】
また、この発明にかかるカード利用支援システムは、上記の発明において、前記分割図柄情報出力手段が、前記分割図柄選択手段が選択した分割図柄の位置を指定する情報を出力し、前記画像生成手段は、前記分割図柄情報受付手段が所定期間内に受け付けた分割図柄に関する情報によって指定される位置における分割図柄を示す画像を生成することを特徴とする。
【００１７】
また、この発明にかかるカード利用支援システムは、上記の発明において、前記分割図柄情報出力手段が、前記カードの利用限度額の範囲内で利用可能な、前記カードとは別のカードに、前記分割図柄選択手段が選択した分割図柄に関する情報を記録することにより前記分割図柄に関する情報を出力することを特徴とする。
【００１８】
また、この発明にかかるカード利用支援システムは、上記の発明において、前記分割図柄情報出力手段が、所定期間内において利用可能な前記別のカードに、前記分割図柄選択手段が選択した分割図柄に関する情報を記録することにより前記分割図柄に関する情報を出力することを特徴とする。
【００１９】
また、この発明にかかるカード利用支援システムは、上記の発明において、前記分割図柄情報出力手段が、所定回数利用可能な前記別のカードに、前記分割図柄選択手段が選択した分割図柄に関する情報を記録することにより前記分割図柄に関する情報を出力することを特徴とする。
【００２０】
また、この発明にかかるカード利用支援システムは、上記の発明において、前記参加要求受付手段が、所定の媒体に記録された識別情報を含む参加要求を受け付けることを特徴とする。
【００２１】
また、この発明にかかるカード利用支援システムは、利用者のカードを特定するカード情報を含む参加要求を受け付ける参加要求受付手段と、前記参加要求受付手段が受け付けた参加要求に基づいて、前記カードの利用履歴を取得する利用履歴取得手段と、前記利用履歴取得手段が取得した利用履歴に基づいて、前記カード情報によって特定されるカードの利用者が所定のキャンペーン活動に参加可能であるか否かを判断する参加可否判断手段と、前記参加可否判断手段が参加可能であると判断した場合に、一定の共通点を有する複数種類の図柄の中の任意の図柄を選択する図柄選択手段と、前記図柄選択手段が選択した図柄が記録された、前記カードとは異なる第２カードを発行させる発行手段と、を備えたことを特徴とする。
【発明の効果】
【００２２】
この発明にかかるカード利用支援システムによれば、カードを利用することに対してエンターテインメント性を付加し、カードの利用促進を図ることができるという効果を奏する。
【図面の簡単な説明】
【００２３】
【図１】この発明にかかる実施の形態のカード利用支援システムのシステム構成を示す説明図である。
【図２】この発明にかかる実施の形態のカード利用支援システムにおける、カード利用支援装置を実現するコンピュータ装置のハードウエア構成を示すブロック図である。
【図３】カード発行装置のハードウエア構成を示すブロック図である。
【図４−１】この発明にかかる実施の形態のカード利用支援システムにおける、決済端末のハードウエア構成を示すブロック図（その１）である。
【図４−２】この発明にかかる実施の形態のカード利用支援システムにおける、決済端末のハードウエア構成を示すブロック図（その２）である。
【図５−１】この発明にかかる実施の形態のカード利用支援システムにおける、利用者の端末装置を実現するコンピュータ装置のハードウエア構成を示すブロック図である。
【図５−２】この発明にかかる実施の形態のカード利用支援システムにおける、利用者の端末装置を実現するスマートフォンのハードウエア構成を示すブロック図である。
【図６】この発明にかかる実施の形態のカード利用支援システムにおける、カード利用支援装置が備える利用者データベースの一例を示す説明図である。
【図７】この発明にかかる実施の形態のカード利用支援システムにおける、カード利用支援装置が備えるカード利用履歴データベースの一例を示す説明図である。
【図８】この発明にかかる実施の形態のカード利用支援システムにおける、カード利用支援装置が備える第２カード情報データベースの一例を示す説明図である。
【図９】この発明にかかる実施の形態のカード利用支援システムにおける、カード利用支援装置が備える図柄データベースの一例を示す説明図である。
【図１０−１】この発明にかかる実施の形態のカード利用支援システムにおける、カード発行装置が発行する第２カード（ワンタイムクレジットカード）の一例を示す説明図（その１）である。
【図１０−２】この発明にかかる実施の形態のカード利用支援システムにおける、カード発行装置が発行する第２カード（ワンタイムクレジットカード）の一例を示す説明図（その２）である。
【図１１】カード発行装置あるいは利用者の端末装置の表示画面例を示す説明図（その１）である。
【図１２−１】カード発行装置あるいは利用者の端末装置の表示画面例を示す説明図（その２）である。
【図１２−２】カード発行装置あるいは利用者の端末装置の表示画面例を示す説明図（その３）である。
【図１２−３】カード発行装置あるいは利用者の端末装置の表示画面例を示す説明図（その４）である。
【図１３】この発明にかかる実施の形態のカード利用支援システムの機能的構成を示すブロック図である。
【図１４−１】この発明にかかる実施の形態のカード利用支援システムにおける、カード利用支援装置の処理手順を示すフローチャート（その１）である。
【図１４−２】この発明にかかる実施の形態のカード利用支援システムにおける、カード利用支援装置の処理手順を示すフローチャート（その２）である。
【図１４−３】この発明にかかる実施の形態のカード利用支援システムにおける、カード利用支援装置の処理手順を示すフローチャート（その３）である。
【図１５】パズルゲームの進行状況を確認する際の表示画面例を示す説明図（その１）である。
【図１６】パズルゲームの進行状況を確認する際の表示画面例を示す説明図（その２）である。
【図１７】パズルゲームの進行状況を確認する際の表示画面例を示す説明図（その３）である。
【発明を実施するための形態】
【００２４】
以下に添付図面を参照して、この発明にかかるカード利用支援システムの好適な実施の形態を詳細に説明する。
【００２５】
（実施の形態）
（カード利用支援システムのシステム構成）
まず、この発明にかかる実施の形態のカード利用支援システムのシステム構成について説明する。図１は、この発明にかかる実施の形態のカード利用支援システムのシステム構成を示す説明図である。
【００２６】
図１において、この発明にかかる実施の形態のカード利用支援システム１００は、カード利用支援装置１１０と、カード発行装置１２０と、決済端末１３０と、利用者の端末装置１４０と、を備えて構成されている。カード利用支援装置１１０、カード発行装置１２０、決済端末１３０、利用者の端末装置１４０は、それぞれ、インターネットなどのネットワーク１０１に接続されている。カード利用支援システム１００においては、たとえば、カード利用支援装置１１０とカード発行装置１２０との間、カード利用支援装置１１０と決済端末１３０との間、カード利用支援装置１１０と利用者の端末装置１４０との間、などにおいて通信をおこなうことができる。
【００２７】
カード利用支援装置１１０は、たとえば、カードの発行元であるカード会社が管理する、決済端末１３０から送信された決済要求に基づいてカード決済をおこなう決済サーバによって実現することができる。カードは、クレジットカード会社などのカード発行元に対してカードの発行を申し込んだ本人に対して、当該カード発行元から発行され、商品購入やキャッシングなどの各種サービスにかかる代金の支払いに際しての現金に代わる決済手段として機能する。
【００２８】
この実施の形態においては、以降、カード発行元に対してカードの発行を申し込んだ本人に対して、当該カード発行元から発行されたカードを、適宜「正カード」として説明する。カード（正カード）は、具体的には、たとえば、クレジットカードのなどのカードによって実現することができる。あるいは、カード（正カード）は、クレジットカードに代えて、デビットカードあるいは電子マネーカードなどのカードによって実現されるものであってもよい。
【００２９】
決済サーバとしても機能するカード利用支援装置１１０は、たとえば、パーソナルコンピュータなどのコンピュータ装置によって実現することができる。カード利用支援装置１１０を実現するコンピュータ装置のハードウエア構成については、説明を後述する（図２を参照）。カード利用支援装置１１０は、決済サーバとは別体であってもよく、この場合決済サーバと通信可能なコンピュータ装置によって実現することができる。
【００３０】
カード利用支援装置１１０は、カードを用いておこなわれる決済に関する情報を記憶する各種のデータベースを備えている。具体的には、カード利用支援装置１１０は、たとえば、カード利用支援システム１００の利用者に関する情報を記憶する利用者データベース（図６を参照）や、当該利用者によるカードの利用状況に関する情報を記憶するカード利用履歴データベース（図７を参照）、この発明にかかる実施の形態のカード利用支援システム１００を用いて運営される所定のキャンペーン活動に関する情報を記憶する第２カード情報データベース（図８を参照）や図柄データベース（図９を参照）などを備えている。利用者データベース、カード利用履歴データベース、第２カード情報データベース、図柄データベースについては説明を後述する。
【００３１】
所定のキャンペーン活動は、たとえば、カードの利用促進を目的として、カードの利用者に対して、所定の図柄を複数に分割した各図柄（以降「分割図柄」という）を、収集し、収集した各分割図柄を所定の順序で配列することによって元の所定の図柄を形成し、当該所定の図柄を完成させることを目的とする、いわゆるジグソーパズルをおこなうよう働きかける運動であって、カード（正カード）の利用者の参加によって実現される。この実施の形態においては、以降、上記の所定のキャンペーン活動を、適宜、「ワンタイムカードパズルゲーム」として説明する。
【００３２】
所定の図柄は、たとえば、キャンペーン活動の運用側（主催者）によって任意に決定される。具体的には、たとえば、キャンペーン活動の運用側（主催者）が旅行関連の業務をおこなう企業である場合、観光地の写真、観光地のＰＲ情報を示す画像、観光地までの交通手段（鉄道車両、航空機など）の写真などによって所定の図柄を実現することができる。
【００３３】
また、具体的には、たとえば、キャンペーン活動の運用側（主催者）がアイドルなどの著名人が所属する事務所である場合、売り出し中のアイドルの写真、当該アイドルの新曲ＰＲ情報を示す画像、などによって所定の図柄を実現することができる。また、具体的には、たとえば、キャンペーン活動の運用側（主催者）がゲーム機器の製造や販売に携わる企業である場合、新作ゲームに登場するキャラクターの画像、ゲームの攻略方法を解説する情報を含む画像、などによって所定の図柄を実現することができる。
【００３４】
利用者は、カード利用支援装置１１０に対して、カード発行装置１２０や利用者の端末装置１４０を介して所定のキャンペーン活動への参加要求を送信することによって、当該所定のキャンペーン活動への参加の意思を示すことができる。参加要求は、利用者のカードを特定するカード情報を含む。利用者のカードを特定するカード情報は、たとえば、クレジットカードのカード番号などによって実現することができる。
【００３５】
カード番号は、カードごとに固有の情報であって、個々のカードを識別可能な情報とされる。具体的には、たとえば、この実施の形態におけるカードをクレジットカードによって実現する場合、カード番号は、クレジットカードごとに固有のクレジットカード番号とすることができる。クレジットカード番号においては、最初の６桁の銀行識別番号（Ｂａｎｋ  Ｉｄｅｎｔｉｆｉｃａｔｉｏｎ  Ｎｕｍｂｅｒ：ＢＩＮ）によって、クレジットカード会社などのカードの発行事業者を特定することができる。クレジットカード番号は、ＢＩＮを含み、カードの発行事業者によって割り当てられた任意の数列によって構成され、カードごとに固有の情報とされている。
【００３６】
また、参加要求は、参加要求の送信元となるカード発行装置１２０あるいは利用者の端末装置１４０を特定可能な情報を含んでいる。あるいは、参加要求は、参加要求の送信元となるカード発行装置１２０あるいは利用者の端末装置１４０を特定可能な情報に代えて、参加要求に応じてカード利用支援装置１１０から送信される分割図柄に関する情報の送信先となるカード発行装置１２０あるいは利用者の端末装置１４０を特定可能な情報を含んでいてもよい。
【００３７】
カード発行装置１２０は、所定の図柄を構成する複数の分割図柄の中の任意の分割図柄に関する情報を記録した第２カード（図１０−１および図１０−２を参照）を発行する。第２カードは、カード状の媒体によって実現され、カード（正カード）とは異なる。具体的には、第２カードは、たとえば、８６ｍｍ×５４ｍｍの一般的なクレジットカードサイズの薄板形状の媒体によって実現することができる。より具体的には、第２カードは、たとえば、カード（正カード）と同様に、プラスチック材料を用いて形成された薄板や板厚の薄い合板や紙材料によって形成された用紙によって実現することができる。
【００３８】
第２カードは、カード（正カード）の利用者の利用限度額の範囲内で利用可能なクレジット機能を備えていてもよい。第２カードにおいて、クレジット機能を発揮できる期間、すなわちクレジット決済に利用可能な期間は、制限されていてもよい。具体的には、たとえば、第２カードのクレジット機能は、所定期間内において利用可能とすることができる。第２カードのクレジット機能を所定期間内において利用可能とした場合、当該所定期間を過ぎた第２カードは、単なるカード状の媒体となり、第２カードに記録された情報はカード利用支援システム１００において無効となる。これにより、この発明にかかる実施の形態の第２カードは、使い捨てのクレジットカードとして利用することができる。
【００３９】
あるいは、具体的には、たとえば、第２カードのクレジット機能は、所定回数のみ利用可能としてもよい。第２カードのクレジット機能を所定回数のみ利用可能とした場合、第２カードを用いたクレジット決済が所定回数おこなわれた場合、以降、該当する第２カードは単なるカード状の媒体となり、第２カードに記録された情報は無効となる。これにより、この発明にかかる実施の形態の第２カードは、使い捨てのクレジットカードとして利用することができる。
【００４０】
第２カードのクレジット機能が利用可能な所定回数は、５回、１０回など任意の回数に設定することができる。第２カードは、クレジット機能が利用可能な所定回数を１回のみとする「ワンタイムクレジットカード」であってもよい。また、第２カードのクレジット機能が利用可能な所定回数は、カード利用支援システム１００の運用側が任意に設定してもよいし、カード利用支援システム１００の利用者（正カードの利用者）が任意に設定できるようにしてもよい。
【００４１】
所定の図柄は、たとえばジグソーパズルにおける複数のピースのように、第２カードに記録された分割図柄あるいは第２カードに記録された情報に基づいた分割図柄を所定の順序で配列することによって完成される１枚の絵であって、複数の分割図柄のそれぞれは所定の図柄の一部を構成する。分割図柄に関する情報は、分割図柄そのものを示す画像情報であってもよいし、該当する分割図柄を特定可能な情報であってもよい。たとえば、カード発行装置１２０が発行するカードに分割図柄そのものを示す画像情報を記録した場合、発行されたカードをもって、所定の図柄がどのようなものであるか、また当該所定の図柄におけるどの部分の図柄であるかを案内することができる。
【００４２】
また、分割図柄に関する情報を分割図柄を特定可能な情報とする場合、当該分割図柄を特定可能な情報は、たとえば、複数の分割図柄を所定の順序で配列することによって完成される所定の図柄における、各分割図柄の位置を指定する情報とすることができる。具体的には、たとえば、所定の図柄が縦：５枚×横：５枚のカードを所定の順序で配列することによって完成される場合、分割図柄の位置を指定する情報は、「縦５−横１」、「上から５番目、左から１列目」、「左下」などのように、当該情報によってカードの配置位置を案内することができる内容であればよい。
【００４３】
あるいは、分割図柄の位置を指定する情報は、たとえば、所定の図柄における各分割図柄の位置に、「１、２、３、・・・、２４、２５」などのようなカードの枚数に応じた通し番号や、「１−１、１−２、・・・、３−３、・・・、５−４、５−５」などの識別情報をあらかじめ関連付けておき、当該識別情報に基づいて配置位置を特定可能な内容であってもよい。また、あるいは、分割図柄の位置を指定する情報は、たとえば、所定の図柄を複数枚のカードに分割した全体図と、当該全体図において該当する分割図柄の位置を示す記号やマークと、によって分割図柄の位置を指定する画像情報であってもよい。
【００４４】
第２カードにおいて、分割図柄に関する情報は、人間の目に不可視の状態で記録されている。分割図柄に関する情報は、人間の目に不可視の状態で記録されているものに限らない。分割図柄に関する情報は、人間の目に可視の状態で記録されていてもよい。たとえば、第２カードが磁気ストライプを備える場合、分割図柄に関する情報は当該磁気ストライプに記録されていてもよい。
【００４５】
また、第２カードが、磁気ストライプやＩＣチップなどの記録媒体を備える場合、当該記録媒体には、分割図柄に関する情報に加えて、第２カード情報が記録されていてもよい。第２カード情報は、カード発行装置１２０や利用者の端末装置１４０を介してカード利用支援装置１１０が受け付けた、所定のキャンペーン活動への参加要求に含まれるカード情報にかかる情報であって、たとえば、第２カード番号によって実現することができる。
【００４６】
第２カード番号は、カード（正カード）のカード番号とは異なる番号であって、当該カード番号を特定可能な固有の番号によって実現される。第２カード番号は、カード発行装置１２０や利用者の端末装置１４０を介してカード利用支援装置１１０が参加要求を受け付けた場合に、カード利用支援装置１１０によって生成される。
【００４７】
具体的には、第２カード番号は、たとえば、クレジットカード番号と同じルールにしたがって割り当てられた、クレジットカード番号と同じ桁数の番号によって実現することができる。第２カード番号は、クレジットカード番号のように数字の羅列によって構成されるものに限るものではなく、カード（正カード）を識別することができる情報であればよい。具体的には、第２カード番号は、たとえばアルファベットのみを含む所定桁数の情報、あるいは、数字とアルファベットとを含む所定桁数の情報によって実現してもよい。
【００４８】
カード発行装置１２０は、各種の情報を表示するディスプレイ（図３における符号３０４を参照）や、カード発行装置１２０に対する各種操作を受け付ける操作部などを備えている。操作部としては、たとえばディスプレイに積層されたタッチパネル（図３における符号３０５を参照）などを用いることができる。また、カード発行装置１２０は、プリンタ（図３における符号３０７を参照）が印刷した第２カードを発行する発行口１１３を備えている。
【００４９】
また、カード発行装置１２０は、カードの挿入を受け付けるカード挿入口や、当該カード挿入口から挿入されたカードが備える記録媒体（磁気ストライプ、ＩＣチップなど）に記憶された情報を読み取るカードリーダなどを備えていてもよい。カードが備える記録媒体をＩＣチップによって実現する場合、カード発行装置１２０は、非接触式ＩＣカードタイプのカードを読み取り対象として弱い電波を発するとともに、当該カードからの電波を受信する通信部を備えていてもよい。
【００５０】
カード発行装置１２０は、たとえば人が集まる場所や人通りが多い場所に設置することが好ましい。具体的には、たとえば駅構内やコンビニエンスストアなどに設置するとよい。また、カード発行装置１２０は、たとえばカードを利用しやすい場所やカードが利用される機会の多い場所に設置することが好ましい。このような場所にカード発行装置１２０を設置することにより、所定のキャンペーン活動にかかる宣伝効果の増大を図ることができる。
【００５１】
具体的には、たとえばカード決済が可能な店舗に設置するとよい。カード決済が可能な店舗に設置する場合、カード発行装置１２０は、支払い（カード決済）をおこなう場所の周辺、あるいは、入店を待機する客の待機場所などに設置するとよい。さらに、カード発行装置１２０は、たとえば何らかの目的の達成のために順番待ちなどの待機状態が発生しやすい場所に設置することが好ましい。具体的には、たとえば銀行や郵便局などの金融機関や、病院の待合室などに設置するとよい。
【００５２】
カード発行装置１２０は、単独の装置として存在するものに限らず、たとえばネットワーク１０１に接続可能なＡＴＭやデジカメプリント装置、チケット出力装置などと兼用し、ＡＴＭやデジカメプリント装置が備える機能の一部として第２カードを発行してもよい。また、カード発行装置１２０は、この実施の形態にかかるカード利用支援システム１００に加盟するスーパーマーケットや飲食店などの店舗ごとに設置されたＰＯＳ端末などの信用照会端末機と兼用してもよい。
【００５３】
決済端末１３０は、代金と引き換えに商品やサービスを提供する店舗などに設置され、利用者とカード利用支援システム１００とのインターフェースをつかさどり、カードを用いた決済をおこなうカード決済機能を備えている。カード決済を可能とするカードは、たとえば、クレジットカードによって実現することができる。また、カード決済を可能とするカードは、たとえば、デビットカード（キャッシュカード）などによって実現されるものであってもよい。
【００５４】
決済端末１３０は、カード利用支援装置１１０との間で、ネットワーク１０１を介した通信が可能とされている。決済端末１３０は、カード利用支援装置１１０と通信をおこなうことによって、カード決済にかかる各種の処理をおこなうことができる。決済端末１３０は、たとえば、ＣＡＦＩＳやＩＮＦＯＸ−ＮＥＴなどの決済用のネットワークを介して、ネットワーク１０１に接続されている。
【００５５】
決済端末１３０は、具体的には、たとえばＣＡＴ（Ｃｒｅｄｉｔ  Ａｕｔｈｏｒｉｚａｔｉｏｎ  Ｔｅｒｍｉｎａｌ）端末などのカードの信用照会端末や、ＩＮＦＯＸ端末などの多機能決済端末などの決済端末１３０によって実現することができる。このような決済端末１３０は、電話回線の他、所定のネットワークを介してネットワーク１０１に接続可能とされている。また、このような決済端末１３０は、ＰＯＳ端末に接続され、あるいはＰＯＳ端末に一体に組み込まれ、ＰＯＳ端末を介してネットワーク１０１に接続されていてもよい。決済端末１３０のハードウエア構成については、説明を後述する（図４−１、図４−２を参照）。
【００５６】
利用者の端末装置１４０は、カード（正カード）の利用者からの入力操作を受け付けることが可能であって、また、当該入力操作に応じて利用者に対して所定の情報を提供する。利用者の端末装置１４０は、たとえば、パーソナルコンピュータなどのコンピュータ装置や、スマートフォン、携帯型電話機、ＰＨＳ（Ｐｅｒｓｏｎａｌ  Ｈａｎｄｙ−ｐｈｏｎｅ  Ｓｙｓｔｅｍ）などの良好な携帯性を備えた携帯型通信機器によって実現することができる。利用者の端末装置１４０を実現するコンピュータ装置や携帯型通信機器については、説明を後述する。
【００５７】
（カード利用支援装置１１０を実現するコンピュータ装置のハードウエア構成）
つぎに、この発明にかかる実施の形態のカード利用支援システム１００における、カード利用支援装置１１０を実現するコンピュータ装置のハードウエア構成について説明する。図２は、この発明にかかる実施の形態のカード利用支援システム１００における、カード利用支援装置１１０を実現するコンピュータ装置のハードウエア構成を示すブロック図である。
【００５８】
図２において、コンピュータ装置は、ＣＰＵ２０１と、ＲＯＭ２０２と、ＲＡＭ２０３と、ＨＤＤ（ハードディスクドライブ）２０４と、ＨＤ（ハードディスク）２０５と、ＦＤＤ（フレキシブルディスクドライブ）２０６と、着脱可能な記憶媒体の一例としてのＦＤ（フレキシブルディスク）２０７と、ネットワークＩ／Ｆ（インターフェイス）２０８と、を備えている。また、コンピュータ装置が備える各部２０１〜２０８は、バス２０９によってそれぞれ接続されている。
【００５９】
ＣＰＵ２０１は、コンピュータ装置全体の制御をつかさどる。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００６０】
ＦＤＤ２０６は、ＣＰＵ２０１の制御にしたがってＦＤ２０７に対するデータのリード／ライトを制御する。ＦＤ２０７は、ＦＤＤ２０６の制御で書き込まれたデータを記憶する。着脱可能な記憶媒体として、ＦＤ２０７の他、ＣＤ−ＲＯＭ（ＣＤ−ＲＷ）、ＭＯ、ＤＶＤなどであってもよい。
【００６１】
ネットワークＩ／Ｆ２０８は、通信回線を通じてネットワーク１０１に接続され、ネットワーク１０１を介して利用者端末装置などの外部装置に接続される。そして、ネットワークＩ／Ｆ２０８は、ネットワーク１０１と内部とのインターフェースをつかさどり、コンピュータ装置からのデータの入出力を制御する。
【００６２】
（カード発行装置１２０のハードウエア構成）
つぎに、カード発行装置１２０のハードウエア構成について説明する。図３は、カード発行装置１２０のハードウエア構成を示すブロック図である。図３において、カード発行装置１２０は、ＣＰＵ３０１と、ＲＯＭ３０２と、ＲＡＭ３０３と、ディスプレイ３０４と、タッチパネル３０５と、通信Ｉ／Ｆ３０６と、プリンタ３０７と、カードリーダライタ３０８と、を備えている。また、各構成部はバス３０９によってそれぞれ接続されている。
【００６３】
ＣＰＵ３０１はカード発行装置１２０全体の制御をつかさどり、ＲＡＭ３０３をワークエリアとしながらＲＯＭ３０２に記憶された各種プログラムを実行する。ディスプレイ３０４は、たとえば、表示画面（図１１を参照）を表示する。あるいは、ディスプレイ３０４は、たとえば、カード発行装置１２０に対して所定の入力操作がおこなわれた時点において既に登録されている分割図柄を含む、所定の図柄の一部あるいは全部を示す画像を表示してもよい。ディスプレイ３０４は、具体的には、たとえばＴＦＴ液晶ディスプレイ、プラズマディスプレイ、有機ＥＬディスプレイなど、公知の各種のディスプレイによって実現することができる。
【００６４】
タッチパネル３０５は、ディスプレイ３０４に積層されており、操作された位置に応じた座標信号を出力する。ＣＰＵ３０１は、たとえば、ディスプレイ３０４における表示内容とタッチパネル３０５において操作された座標位置とに基づいて、表示内容を切り替える。具体的には、たとえばディスプレイ３０４に「初期画面」を表示している状態で、タッチパネル３０５における「登録画面を表示する」キーの位置に対する押圧操作があった場合にワンタイムカードパズルゲームへの参加登録をおこなうための「登録画面」を表示する。
【００６５】
カード発行装置１２０は、タッチパネル３０５に加えて、数値を入力するテンキーを備えていてもよい。また、タッチパネル３０５に代えてあるいは加えて、キーボードを備えていてもよい。テンキーやキーボードは、たとえば、利用者が参加するワンタイムカードパズルゲームにおける所定の図柄の種類を示す情報や、分割図柄の位置を示す情報の入力に際して用いられる。
【００６６】
通信Ｉ／Ｆ３０６は、ネットワーク１０１を介して、当該ネットワーク１０１に通信可能に接続されたカード利用支援装置１１０を実現するコンピュータ装置との間での通信をおこなう。通信Ｉ／Ｆ３０６は、カード利用支援装置１１０を実現するコンピュータ装置との間で通信をおこなうことによって、分割図柄の位置を示す情報などを送信する。
【００６７】
プリンタ３０７は、通信Ｉ／Ｆ３０６を介して受信した第２カード情報や分割図柄に関する情報などを第２カードを実現する所定の媒体に印刷する。第２カードを実現する所定の媒体は、たとえば、８６ｍｍ×５４ｍｍの一般的なクレジットカードサイズの薄板形状の媒体であることが好ましい。あるいは、第２カードを実現する所定の媒体は、８６ｍｍ幅あるいは５４ｍｍ幅の長尺状のロール紙であってもよい。このようなロール紙を用いる場合、プリンタ３０７はロール紙を所定の位置で切断するためのカッタ機構を備えている。プリンタ３０７は、たとえばレーザプリンタ、インクジェットプリンタ、インクリボンプリンタなど、公知の各種のプリンタによって実現することができる。
【００６８】
カードリーダライタ３０８は、カードが備える記録媒体に記憶されたクレジットカード番号などの情報を読み取り、読み取った情報を含む信号をＣＰＵ３０１に出力する。また、カードリーダライタ３０８は、たとえばカードが備える記録媒体に対して、第２カード情報などの情報を記録する。具体的には、カードリーダライタ３０８は、たとえば、カードが記録媒体として備えるＩＣチップに接続される接続端子を備え、当該接続端子を介してＩＣチップに記憶されたクレジットカード番号などの情報を読み取る。
【００６９】
また、たとえばカードリーダライタ３０８は、カードが記録媒体として備える磁気テープに記憶されたクレジットカード番号などの情報を読み取る磁気ヘッドを備え、当該磁気ヘッドの読取位置を磁気タイプのカードが通過する際に、カードの磁気テープに記憶されたクレジットカード番号などの情報を読み取るようにしてもよい。カードリーダライタ３０８が非接触式ＩＣカードタイプのカードを読み取り対象とする場合は、さらに、カードと通信をおこなう通信部を備えていてもよい。
【００７０】
（決済端末１３０のハードウエア構成）
つぎに、この発明にかかる実施の形態のカード利用支援システム１００における、決済端末１３０のハードウエア構成について説明する。図４−１および図４−２は、この発明にかかる実施の形態のカード利用支援システム１００における、決済端末１３０のハードウエア構成を示すブロック図である。図４−１においては、カード決済に特化した機能を備えた決済端末１３０のハードウエア構成を示している。図４−２においては、カード決済機能を備えたＰＯＳ端末によって実現される決済端末１３０のハードウエア構成を示している。
【００７１】
図４−１において、カード決済に特化した機能を備えた決済端末１３０は、ＣＰＵ４１１と、ＲＯＭ４１２と、ＲＡＭ４１３と、ディスプレイ４１４と、キーボード４１５と、ネットワークＩ／Ｆ４１６と、ブザー４１７と、カードリーダ４１８と、プリンタ４１９と、を備えている。また、決済端末１３０が備える各部４１１〜４１９は、バス４１０によってそれぞれ接続されている。
【００７２】
ＣＰＵ４１１は、決済端末１３０全体の制御をつかさどる。ＲＯＭ４１２は、カード決済に際して実行させる各種のプログラムなどを記憶している。ＲＡＭ４１３は、ＣＰＵ４１１のワークエリアとして使用される。ＣＰＵ４１１は、カード決済に際して、ネットワークＩ／Ｆ４１６を介してカード利用支援装置１１０との間で通信をおこなう。
【００７３】
キーボード４１５は、カード決済をおこなう店舗の店員などによるカード決済にかかる各種の入力操作を受け付けたり、利用者（カードの利用者）による暗証番号の入力操作を受け付けたりする。キーボード４１５は、入力された情報をＣＰＵ４１１に出力する。ディスプレイ４１４は、たとえば液晶パネルを備えた表示装置によって実現することができる。ディスプレイ４１４を実現する液晶パネルは、定型メッセージ、数字、記号などを表示することができる。また、ディスプレイ４１４を実現する液晶パネルは、７セグメント方式のディスプレイであってもよい。
【００７４】
ブザー４１７は、決済端末１３０においてエラーが発生した場合などに所定のブザー音声を出力する。ブザー４１７としては、たとえば圧電ブザー、電子ブザー、電磁ブザーなど公知の各種のブザーを用いることができる。カードリーダ４１８は、カードを用いた決済において、カードに記録された情報を読み出し、読み出された情報をＣＰＵ４１１に対して出力する。カードは、ＩＣチップを備えたタイプであってもよいし、磁気ストライプを備えたタイプであってもよい。
【００７５】
プリンタ４１９は、伝票用紙に対して決済の内容などを印字する印字処理をおこなう。プリンタ４１９は、たとえば複写が可能な伝票用紙に対する印字が可能なインパクトドットプリンタなどを用いることができる。プリンタ４１９は、インパクトドットプリンタに限るものではなく、サーマルプリンタ、レーザプリンタ、インクジェットプリンタなど公知の各種の印字方式のプリンタによって実現することができる。プリンタ４１９は、伝票用紙を保持する用紙保持機構、伝票用紙に対して印字をおこなうプリンタヘッドなどを備えて構成されている。
【００７６】
図４−２において、カード決済機能を備えたＰＯＳ端末によって実現される決済端末１３０は、ＣＰＵ４２１と、ＲＯＭ４２２と、ＲＡＭ４２３と、ＨＤＤ４２４と、ＨＤ４２５と、ディスプレイ４２６と、タッチパネル４２７と、キーボード４２８と、バーコードスキャナ４２９と、プリンタ４３０と、ドロワ開放装置４３１と、ネットワークＩ／Ｆ４３２と、スピーカー４３３と、カードリーダ４３４と、を備えている。また、決済端末１３０が備える各部４２１〜４３４は、バス４２０によってそれぞれ接続されている。
【００７７】
ＣＰＵ４２１は、カード決済機能を備えたＰＯＳ端末によって実現される決済端末１３０全体の制御をつかさどる。ＲＯＭ４２２は、カード決済時、商品の売り上げ登録時あるいは売り上げの精算時などに実行させる各種のプログラムなどを記憶している。ＲＡＭ４２３は、ＣＰＵ４２１のワークエリアとして使用される。ＣＰＵ４２１は、たとえばカード決済に際して、ネットワークＩ／Ｆ４３２を介してカード利用支援装置１１０との間で通信をおこなう。
【００７８】
カード決済機能を備えたＰＯＳ端末によって実現される決済端末１３０は、カード利用支援装置１１０との間で直接通信をおこなうことができる。また、カード決済機能を備えたＰＯＳ端末によって実現される決済端末１３０は、店舗ごとあるいはグループごとに設けられたサーバコンピュータを介して、カード利用支援装置１１０との間で通信をおこなってもよい。
【００７９】
ＨＤＤ４２４は、ＣＰＵ４２１の制御にしたがって、ＨＤ４２５に対するデータのリード／ライトを制御する。ＨＤＤ４２４は、ＨＤ４２５の制御によって書き込まれたデータを記憶する。具体的には、ＨＤ４２５は、たとえば商品マスタファイルや売り上げファイルなどを記憶している。カード決済機能を備えたＰＯＳ端末によって実現される決済端末１３０における商品マスタファイルや売り上げファイルについては公知であるため説明を省略する。
【００８０】
ディスプレイ４２６は、たとえば液晶パネルを備えた表示装置によって実現することができる。ディスプレイ４２６は、カーソル、アイコン、ツールボックスをはじめ、文書、画像、機能情報などのデータに関するウインドウ（ブラウザ）を表示する。カード決済機能を備えたＰＯＳ端末によって実現される決済端末１３０は、店員側に情報を表示するディスプレイ４２６と、利用者側に情報を表示するディスプレイ４２６とのように、１台あたり複数のディスプレイ４２６を備えていてもよい。
【００８１】
タッチパネル４２７は、ディスプレイ４２６に積層され、操作位置に応じた信号をＣＰＵ４２１に対して出力する。タッチパネル４２７は、たとえば抵抗膜方式や静電容量方式、音響パルス認識方式、超音波表面弾性波方式、赤外遮光方式、画像認識方式など公知の各種の方式のものを用いることができる。キーボード４２８は、文字、数値、各種指示などの入力のためのキーを備え、操作されたキーに応じた信号をＣＰＵ４２１に対して出力する。
【００８２】
バーコードスキャナ４２９は、商品に付されたバーコードや２次元コードなどを光学的に読み取ることが可能な光学式マーク認識装置（ＯＭＲ：Ｏｐｔｉｃａｌ  Ｍａｒｋ  ＲｅｃｏｇｎｉｔｉｏｎもしくはＯｐｔｉｃａｌ  Ｍａｒｋ  Ｒｅａｄｅｒ）によって実現することができる。バーコードスキャナ４２９は、ＬＥＤなどの光源、光源からの光を走査させるポリゴンミラー、読み取り対象物からの反射光を受光するセンサ、センサが受光した光信号をデコードするデコード回路などを備えている。センサとしてＣＣＤイメージセンサを採用することにより、２次元コードを読み取ることが可能になる。デコード回路がデコードしたデータは、ＣＰＵ４２１に出力される。
【００８３】
プリンタ４３０は、ロール紙に対して決済の内容などを印字する印字処理をおこなう。サーマルプリンタ、レーザプリンタ、インクジェットプリンタなど公知の各種の印字方式のプリンタによって実現することができる。プリンタ４３０は、ロール紙を保持するロール紙保持機構、ロール紙に対して印字をおこなうプリンタヘッド、印字済みのロール紙を任意の長さでカットするカッタ機構などを備えて構成されている。
【００８４】
ドロワ開放装置４３１は、カード決済機能を備えたＰＯＳ端末によって実現される決済端末１３０に対して所定の操作がおこなわれた場合に、当該決済端末１３０に接続されたドロワ装置を開放する。ドロワ開放装置４３１は、具体的には、たとえばソレノイドなどによって実現することができ、キーボード４２８における「預／現計」キーの操作に応じてＣＰＵ４２１から出力された開放信号を受信した場合に動作してドロワ装置を解錠する。
【００８５】
スピーカー４３３は、商品をスキャンした場合の『ピッ』という音声やエラーなどの異常発生時の報知音を出力する。スピーカー４３３は、ボイスコイル（図示を省略する）を備えており、ＣＰＵ４２１から出力された音声信号にしたがった電気信号をボイスコイルに印加することによって音声を出力する。カードリーダ４３４は、カードを用いた決済において、カードに記録されたデータを読み出す。カードは、ＩＣチップを備えたタイプであってもよいし、磁気ストライプを備えたタイプであってもよい。
【００８６】
（利用者の端末装置１４０を実現するコンピュータ装置のハードウエア構成）
つぎに、この発明にかかる実施の形態のカード利用支援システム１００における、利用者の端末装置１４０を実現するコンピュータ装置のハードウエア構成について説明する。図５−１は、この発明にかかる実施の形態のカード利用支援システム１００における、利用者の端末装置１４０を実現するコンピュータ装置のハードウエア構成を示すブロック図である。
【００８７】
図５−１において、この発明にかかる実施の形態のカード利用支援システム１００における、利用者の端末装置１４０を実現するコンピュータ装置は、ＣＰＵ５１１と、ＲＯＭ５１２と、ＲＡＭ５１３と、ＨＤＤ５１４と、ＨＤ５１５と、ＦＤＤ５１６と、着脱可能な記憶媒体の一例としてのＦＤ５１７と、ディスプレイ５１８と、操作部５１９と、プリンタ５２０と、ネットワークＩ／Ｆ５２１と、を備えている。また、この発明にかかる実施の形態のカード利用支援システム１００における、利用者の端末装置１４０を実現するコンピュータ装置が備える各部５１１〜５２１は、バス５２２によってそれぞれ接続されている。
【００８８】
ＣＰＵ５１１は、利用者の端末装置１４０を実現するコンピュータ装置全体の制御をつかさどる。ＲＯＭ５１２は、ブートプログラムなどのプログラムを記憶している。ＲＡＭ５１３は、ＣＰＵ５１１のワークエリアとして使用される。ＨＤＤ５１４は、ＣＰＵ５１１の制御にしたがってＨＤ５１５に対するデータのリード／ライトを制御する。ＨＤ５１５は、ＨＤＤ５１４の制御で書き込まれたデータを記憶する。
【００８９】
ＦＤＤ５１６は、ＣＰＵ５１１の制御にしたがってＦＤ５１７に対するデータのリード／ライトを制御する。ＦＤ５１７は、ＦＤＤ５１６の制御で書き込まれたデータを記憶する。ＦＤ５１７に代えてあるいはＦＤ５１７に加えて、ＣＤ−ＲＯＭ（ＣＤ−ＲＷ）、ＭＯ、ＤＶＤ（Ｄｉｇｉｔａｌ  Ｖｅｒｓａｔｉｌｅ  Ｄｉｓｋ）などの各種の記憶媒体を、着脱可能な記憶媒体として用いてもよい。この場合、この発明にかかる実施の形態のカード利用支援システム１００における、利用者の端末装置１４０を実現するコンピュータ装置は、各種の記憶媒体に対するデータのリード／ライトを制御するドライブを備える。
【００９０】
ディスプレイ５１８は、たとえば液晶パネルを備えた表示装置によって実現することができる。ディスプレイ５１８を実現する液晶パネルは、任意の文字列、数字、記号などを表示することができる。操作部５１９は、利用者による各種の入力操作を受け付ける。操作部５１９は、具体的には、たとえば、タッチパネル、キーボード、テンキーなどによって実現することができる。また、操作部５１９は、たとえば、マウスによって実現してもよい。タッチパネル、キーボード、テンキー、マウスなどによって実現される操作部５１９は、当該操作部５１９に対する入力操作に応じた信号を出力する。
【００９１】
プリンタ５２０は、所定の媒体に対して、分割図柄あるいは当該分割図柄の位置情報などを印字する印字処理をおこなう。プリンタ５２０は、レーザプリンタ、インクジェットプリンタ、インパクトドットプリンタなど公知の各種の印字方式のプリンタによって実現することができる。プリンタ５２０は、カードの用紙を保持する用紙保持機構や、カードの用紙に対して印字をおこなうプリンタヘッドなどを備えて構成されている。
【００９２】
ネットワークＩ／Ｆ５２１は、インターネットなどのネットワーク１０１に接続され、当該ネットワーク１０１を介して、カード利用支援装置１１０などの外部装置に接続される。そして、ネットワークＩ／Ｆ５２１は、ネットワーク１０１と利用者の端末装置１４０を実現するコンピュータ装置の内部とのインターフェースをつかさどり、利用者の端末装置１４０を実現するコンピュータ装置と外部装置との間におけるデータの入出力を制御する。
【００９３】
（利用者の端末装置１４０のハードウエア構成）
つぎに、この発明にかかる実施の形態の利用者の端末装置１４０を実現するスマートフォンのハードウエア構成について説明する。図５−２は、この発明にかかる実施の形態のカード利用支援システム１００における、利用者の端末装置１４０を実現するスマートフォンのハードウエア構成を示すブロック図である。
【００９４】
図５−２おいて、この発明にかかる実施の形態のカード利用支援システム１００における、利用者の端末装置１４０を実現するスマートフォンは、ＣＰＵ５２２と、ＲＯＭ５２３と、ＲＡＭ５２４と、メモリ５２５と、音声通信Ｉ／Ｆ５２６と、ネットワーク通信Ｉ／Ｆ５２７と、ディスプレイ５２８と、操作部５２９と、マイク５３０と、スピーカー５３１と、カメラ５３２と、無線通信Ｉ／Ｆ５３３と、を備えている。また、この発明にかかる実施の形態の利用者の端末装置１４０を実現するスマートフォンが備える各構成部５２２〜５３３は、バス５３４によってそれぞれ接続されている。
【００９５】
ＣＰＵ５２２は、スマートフォン全体の制御をつかさどる。ＲＯＭ５２３は、ブートプログラムなどのプログラムを記憶している。ＲＡＭ５２４は、ＣＰＵ５２２のワークエリアとして使用される。ＲＡＭ５２４は、ディスプレイ５２８に表示させる画像データを書き込むＶＲＡＭを含んでいてもよい。メモリ５２５は、利用者の端末装置１４０を所有する利用者の識別情報を記憶する。メモリ５２５は、利用者の識別情報を不揮発に記憶する。すなわち、メモリ５２５は、スマートフォンの電源をＯＦＦにした状態であっても利用者の識別情報を記憶する。
【００９６】
利用者の端末装置１４０の識別情報は、利用者の端末装置１４０を識別可能な情報であって、カード利用支援システム１００に加入する利用者の端末装置１４０に固有の情報によって実現される。利用者識別情報は、たとえば、カード利用支援システム１００の管理者などによって設定された任意の数字列や任意の文字列によって実現することができる。また、利用者識別情報は、たとえば、利用者の端末装置１４０に割り当てられた電子メールアドレスによって実現してもよい。また、利用者識別情報は、たとえば、利用者の端末装置１４０の製造番号によって実現してもよい。
【００９７】
音声通信Ｉ／Ｆ５２６は、電話回線網に接続されており、別のスマートフォン（携帯型電話機やＰＨＳ）などの携帯型通信機器や、固定型電話機との間における音声による通話を実現する。ネットワーク通信Ｉ／Ｆ５２７は、インターネットなどのネットワーク１０１を介して、当該ネットワーク１０１に接続されたコンピュータ装置や別のスマートフォンとの間におけるデータの入出力を制御する。
【００９８】
ディスプレイ５２８は、カメラ５３２によって撮影した画像を表示したり、各種の表示画面（図１１、図１２−１、図１２−２、図１２−３などを参照）を表示したりする。また、ディスプレイ５２８は、スマートフォンを携帯型電話機（あるいはＰＨＳ）として利用する場合における設定中のモード（マナーモードやドライブモードなど）や電波の受信状態を示す各種のマーク、アイコンあるいはツールボックスなどを表示し、主にＴＦＴ液晶ディスプレイなどの液晶ディスプレイによって実現される。
【００９９】
操作部５２９は、文字、数値、各種指示などの入力のためのキーを備え、データ入力をおこなう。操作部５２９は、たとえば、テンキーやカーソルキーなどを備えたキーボードやタッチパネルなどによって実現することができる。キーボードやタッチパネルなどによって実現される操作部５２９は、当該操作部５２９に対する入力操作に応じた信号を、ＣＰＵ５２２に対して出力する。
【０１００】
操作部５２９をタッチパネルによって実現する場合、当該タッチパネルは、ディスプレイ５２８の表示面側に積層される。タッチパネルは、指やペンなどの筆記部材が接触したことを検出した場合に、タッチパネルに対する筆記部材の接触位置に応じた電気信号を出力する。
【０１０１】
また、タッチパネルは、タッチパネルに対する筆記部材の接触が解除された場合は、信号の出力を停止する。あるいは、タッチパネルは、タッチパネルに対する筆記部材の接触が解除された場合に、タッチパネルに対する筆記部材の接触がないことを示す信号を出力してもよい。
【０１０２】
タッチパネルは、抵抗膜方式、静電容量方式、電磁誘導方式、表面弾性波方式など公知の各種の方式によってタッチパネルに対する筆記部材の接触位置を検出し、検出した接触位置に応じた電気信号を、ＣＰＵ５２２に対して出力する。電磁誘導方式を採用する場合、電子ペンなどと称される専用の筆記部材を用いる。
【０１０３】
マイク５３０は、アナログ形式の音声データとして入力された話者の声や環境音などをアナログ／デジタル変換し、デジタル形式の音声データを生成する。スピーカー５３１は、通話相手側から送信されたデジタル形式の音声データや、宣伝情報に含まれる音声データをデジタル／アナログ変換し、アナログ形式の音声データに基づいてスピーカーコーンにおけるコイルに通電するなどして音声を出力する。スピーカー５３１は、再生指示を受け付けた音声データに基づいて、スピーカーコーンにおけるコイルに通電するなどして音声を出力する。
【０１０４】
カメラ５３２は、操作部５２９の操作によって被写体を撮影し、画像データを生成する。生成された画像データは、ＲＡＭ５２４やメモリ５２５などに記憶される。カメラ５３２は、図示を省略する映像Ｉ／Ｆを介してディスプレイ５２８に接続されていてもよい。
【０１０５】
この場合の映像Ｉ／Ｆは、具体的には、たとえば、ディスプレイ５２８あるいはカメラ５３２との間における所定の処理をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ５２８を制御する制御ＩＣなどによって構成される。
【０１０６】
無線通信Ｉ／Ｆ５３３は、別のスマートフォンなど、別の利用者の端末装置１４０との間における無線通信にかかるデータの入出力を制御する。無線通信Ｉ／Ｆ５３３は、たとえば、Ｂｌｕｅｔｏｏｔｈ（登録商標）などのように、数ｍ程度の近距離無線通信規格にしたがった無線通信をおこなう。Ｂｌｕｅｔｏｏｔｈ規格にしたがって無線通信をおこなう場合、指向性がないことから遮蔽物があっても通信することが可能であるが、指向性アンテナを用いるなどして敢えて指向性をもたせてもよい。無線通信Ｉ／Ｆ５３３は、たとえば赤外線通信のように、指向性を有する無線通信規格にしたがった無線通信をおこなうものであってもよい。
【０１０７】
（カード利用支援装置１１０が備えるデータベースの一例）
つぎに、カード利用支援装置１１０が備えるデータベースについて説明する。カード利用支援装置１１０が備える各種のデータベースは、カード利用支援装置１１０を実現するコンピュータ装置が備えるＨＤ２０５に設けられている。
【０１０８】
カード利用支援装置１１０が備える各種のデータベースは、カード利用支援装置１１０を実現するコンピュータ装置が備えるＨＤ２０５などの記憶媒体に一体に設けられているものに限らない。カード利用支援装置１１０が備える各種のデータベースは、カード利用支援装置１１０を実現するコンピュータ装置とは別体で設けられた記憶媒体や、カード利用支援装置１１０を実現するコンピュータ装置とは異なるコンピュータ装置が備える記憶媒体に設けられていてもよい。
【０１０９】
（利用者データベースの一例）
つぎに、この発明にかかる実施の形態のカード利用支援装置１１０が備える各種のデータベースのうち、利用者データベースの一例について説明する。図６は、この発明にかかる実施の形態のカード利用支援システム１００における、カード利用支援装置１１０が備える利用者データベースの一例を示す説明図である。図６において、利用者データベース６００は、利用者の識別情報と、利用者に関する情報と、を関連付けて記憶している。図６に示した利用者データベース６００においては、利用者の識別情報として、カード番号が記憶されている。
【０１１０】
また、利用者データベース６００は、利用者に関する情報として、たとえば、各カードの有効期限、各カードの利用者の氏名、住所、電話番号、メールアドレス、性別など、カードの利用者あるいはカードに関する各種の情報（以下「カード情報」という）を記憶している。利用者データベース６００は、日本語表記で示された住所に関する情報に加えて、ローマ字表記で示された住所に関する情報を記憶していてもよい。たとえば、利用者の住所が日本国である場合、利用者データベース６００は、利用者の住所が日本国であることを示す「日本」、「日本国」、「ＪＡＰＡＮ」あるいは「ＪＰＮ」などのように、利用者が居住する国に関する情報を含んでいてもよい。
【０１１１】
また、利用者データベース６００は、たとえばカード（正カード）の利用者の年収や、所定期間における利用限度額など、カードの利用者の支払い能力に関する情報を、カード情報として記憶していてもよい。所定期間における利用限度額は、カードの利用者の年収などに基づいて、あらかじめカードの発行元などによって設定される。
【０１１２】
所定期間は、前回の締め日の翌日から次回の締め日までの期間であって、たとえば１ヶ月間とすることができる。締め日は、カード会社が加盟店への立替払金額やカードの利用者（利用者）への請求金額を確定するための締め切り日であり、たとえば「毎月１０日」、「毎月２５日」などのように設定されている。具体的には、たとえば締め日が「毎月１０日」である場合、所定期間は、毎月１１日〜翌月の１０日までの期間とされる。所定期間ごとの利用金額は、たとえば、１ヶ月ごとに締め日がある場合、前回の締め日の翌日から次回の締め日までの累積のカード決済の利用金額とされる。
【０１１３】
また、利用者データベース６００は、たとえば支払い方法、支払いに利用する金融機関名、支店名、預金種目や口座番号など、支払いに関する情報を、カード情報として記憶していてもよい。具体的には、たとえばリボルビング払いを設定しているカードの利用者（利用者）に関しては、リボルビング払いによる１回あたりの支払い額を、支払いに関する情報として記憶するようにしてもよい。
【０１１４】
利用者データベース６００における利用者に関する情報は、たとえば、カードの発行受付時（申し込み時）など、カードが発行される前にカードの利用者（利用者）から取得し、カードの発行元によって利用者データベース６００に登録される。これにより、カード番号が指定された場合は、指定されたカード番号に関連付けられている各種の情報を特定することができる。利用者データベース６００においては、カード番号以外にも、カードの利用者（利用者）の氏名および住所、電話番号、メールアドレスなど、任意の情報が指定されることによって、指定された任意の情報に関連付けられた情報を抽出することができる。
【０１１５】
（カード利用履歴データベースの一例）
つぎに、この発明にかかる実施の形態のカード利用支援システム１００における、カード利用支援装置１１０が備えるカード利用履歴データベースについて説明する。図７は、この発明にかかる実施の形態のカード利用支援システム１００における、カード利用支援装置１１０が備えるカード利用履歴データベースの一例を示す説明図である。
【０１１６】
図７において、カード利用履歴データベース７００は、利用者の識別情報ごとに、カード決済に関するカード利用履歴情報を記憶している。利用者の識別情報は、たとえば、カード番号によって実現することができる。カード決済に関するカード利用履歴情報は、カード決済が完了するごとに、カード利用履歴データベース７００に登録される。
【０１１７】
カード利用履歴情報は、たとえば、カードの利用日時を特定可能な情報を含んでいる。カードの利用日時を特定可能な情報は、たとえば店舗などに設置された決済端末１３０から送信された決済要求に含まれるカード決済の日時情報（決済端末１３０においてカードを読み取った日時情報）とすることができる。あるいは、カードの利用日時を特定可能な情報は、カード利用支援装置１１０が備える計時機能によって計時される時刻において、決済端末１３０から送信された決済要求を受信した日時を特定可能な情報であってもよい。
【０１１８】
また、カード利用履歴情報は、カードの利用店舗すなわちカード決済をおこなった決済端末１３０の識別情報を含んでいる。決済端末１３０の識別情報は、当該決済端末１３０が設置されている店舗を識別することができるように店舗ごとに異なり、たとえば、カードの発行元となるカード会社などによってあらかじめ設定されている。これにより、決済端末１３０の識別情報によって、カード決済をおこなった店舗を識別（特定）することができる。
【０１１９】
この場合、決済端末１３０の識別情報は、たとえば「同一の店舗の支店どうし」などのように、店舗名が同一であっても同一の店舗ではない店舗どうしを識別できるように設定されていてもよい。この場合、カード利用履歴データベース７００においては、店舗名が同じであっても場所が異なる店舗であれば、それぞれを異なる店舗として登録することができる。決済端末１３０の識別情報は、決済端末１３０ごとに異なっていてもよい。また、この場合、カード利用支援装置１１０においては、決済端末１３０の識別情報と、当該決済端末１３０が設置された店舗の識別情報と、を関連付けて記憶するデータベースが設けられる。
【０１２０】
また、カード利用履歴情報は、たとえばカード決済ごとに指定された支払い回数、カード決済ごとの利用金額（カード決済１回あたりの利用金額）、たとえば１ヶ月などの所定期間ごとの累積の利用金額など、各カード決済の内容を特定可能な情報を含んでいてもよい。カード利用履歴データベース７００においては、所定期間ごとの利用金額として、１ヶ月あたりの利用金額が記憶されている。
【０１２１】
カード利用履歴データベース７００においては、所定期間ごとの利用金額として、既に満了した所定期間の利用金額と、満了していない所定期間の利用金額と、が記憶されている。満了していない所定期間の利用金額は、未確定であり、所定期間（前月１１日〜翌月１０日まで）が満了した時点で確定する。カード利用履歴データベース７００において、満了していない所定期間の利用金額は、請求予定金額として記憶されている。
【０１２２】
カード利用履歴データベース７００において、カード利用履歴情報は、カード決済ごとに記憶されている。具体的には、たとえば、１枚のカードを用いて同日に３回のカード決済をおこなった場合、カード利用履歴データベース７００においては、当該カードのカード番号に関連付けられた３件分のカード利用履歴情報が、１日におけるカード決済に関する情報としてそれぞれ記憶される。
【０１２３】
（第２カード情報データベース）
つぎに、この発明にかかる実施の形態のカード利用支援システム１００における、カード利用支援装置１１０が備える第２カード情報データベースについて説明する。図８は、この発明にかかる実施の形態のカード利用支援システム１００における、カード利用支援装置１１０が備える第２カード情報データベースの一例を示す説明図である。
【０１２４】
図８において、第２カード情報データベース８００は、第２カード情報と当該第２カード情報の生成にかかるカード情報とを関連付けて記憶する。具体的には、第２カード情報データベース８００は、たとえば、第２カード情報としての第２カード番号と、当該第２カード情報の生成にかかるカード情報として正カードのカード番号と、を関連付けて記憶する。
【０１２５】
また、第２カード情報データベース８００は、第２カード情報としての第２カード番号に関連付けて、当該第２カード番号によって特定される利用者が指定した、ワンタイムカードパズルゲームにおける所定の図柄に関する情報（以下「指定図柄情報」という）を記憶している。この実施の形態においては、第２カード情報データベース８００によって記憶部（図１３における符号１３４２を参照）を実現することができる。
【０１２６】
（図柄データベースの一例）
つぎに、この発明にかかる実施の形態のカード利用支援システム１００における、カード利用支援装置１１０が備える図柄データベースについて説明する。図９は、この発明にかかる実施の形態のカード利用支援システム１００における、カード利用支援装置１１０が備える図柄データベースの一例を示す説明図である。
【０１２７】
図９において、図柄データベース９００は、複数の分割図柄に関する情報を記憶している。図柄データベース９００においては、複数の分割図柄の識別情報と、当該識別情報によって識別される分割図柄を示す画像データと、が関連付けて記憶されている。また、図柄データベース９００においては、複数の分割図柄の識別情報は、所定の図柄ごとに分類されて記憶されている。
【０１２８】
具体的には、たとえば、所定の図柄Ａの分割図柄は、「Ａ０１−００１」、「Ａ０１−００２」、・・・、「Ａ−９９０」のように、所定の図柄Ａ０１の分割図柄であることを識別できるように分類されて記憶されている。分割図柄の識別情報は、たとえば、「Ａ０１−００１」におけるＡ０１のように、ワンタイムパズルゲームにおいて完成させる図柄を識別する情報と、「Ａ０１−００１」における００１のように完成させる図柄において各分割図柄を識別情報と、を含むように構成することができる。
【０１２９】
分割図柄の数は、所定の図柄ごとに異なる。具体的には、たとえば、図９の図柄データベース９００においては、所定の図柄「Ａ０１」は９９０個（枚）の分割図柄によって完成され、所定の図柄Ｂは１５００個（枚）の分割図柄によって完成されることが示されている。分割図柄の数は、完成させる図柄（所定の図柄）が異なっていても、すべて同数であってもよい。
【０１３０】
（第２カードの一例）
つぎに、この発明にかかる実施の形態のカード利用支援システム１００における、カード発行装置１２０が発行する第２カード（ワンタイムクレジットカード）の一例について説明する。図１０−１および図１０−２は、この発明にかかる実施の形態のカード利用支援システム１００における、カード発行装置１２０が発行する第２カード（ワンタイムクレジットカード）の一例を示す説明図である。図１０−１は第２カードの一面（表面）側を示し、図１０−２は第２カードの他面（裏面）側を示している。
【０１３１】
図１０−１において、この発明にかかる実施の形態のカード利用支援システム１００における、カード発行装置１２０が発行する第２カード（図１０−１においては「ワンタイムクレジット」と記載）１０００は、一面（表面）側に、第２カード１０００を一意に識別する第２カード番号や、当該第２カード番号によって識別される第２カード１０００の利用者（正カードの利用者）の氏名などの情報が記録されている。
【０１３２】
図１０−２において、この発明にかかる実施の形態のカード利用支援システム１００における、カード発行装置１２０が発行する第２カード１０００は、他面（裏面）側に、分割図柄に関する情報が記録されている。第２カード１０００の他面（裏面）側に記録された分割図柄に関する情報は、一面側に記録された情報によって識別されるカード（正カード）の利用者が参加したワンタイムカードパズルゲームにおける、当該第２カード１０００に割り当てられた分割図柄に関する。上述したように、第２カード１０００においては、分割図柄に関する情報が図１０−２に示したように可視化されているものに限らず、磁気ストライプ１０２０などの記録媒体に不可視な状態で記録されていてもよい。
【０１３３】
（表示画面例）
つぎに、表示画面例について説明する。図１１、図１２−１、図１２−２および図１２−３は、カード発行装置１２０あるいは利用者の端末装置１４０の表示画面例を示す説明図である。図１１において、表示画面１１００は、ワンタイムカードパズルゲームへの参加登録に際して、利用者の端末装置１４０のディスプレイ５１８、５２８に表示される。表示画面１１００は、カード番号、カード（正カード）の利用者、第２カード番号（図１１においては「パズル番号」と記載）を入力する入力枠を表示する。カードの利用者は、表示画面１１００が表示された状態で操作部５１９、５２９に対して所定の入力操作をおこなうことによってカード（正カード）のカード番号、カードの利用者の氏名、事前に発行された第２カード番号を入力する。
【０１３４】
表示画面１１００において、「登録」キーは、入力した各種の情報（カード番号、氏名、パズル番号）を確定する際に操作する。カード発行装置１２０あるいは利用者の端末装置１４０は、表示画面１１００を表示している状態で「登録」キーが操作されると、入力された各種の情報を含む、ワンタイムカードパズルゲームへの参加要求をカード利用支援装置１１０に送信する。これによって、カードの利用者が第２カード１０００を発行していない場合にも、ワンタイムカードパズルゲームに参加することができる。
【０１３５】
表示画面１１００は、カード発行装置１２０のディスプレイ３０４に表示されてもよい。具体的には、表示画面１１００は、たとえば、ワンタイムカードパズルゲームによって実現される所定のキャンペーン活動において、所定の図柄が複数種類存在する場合に、カードの利用者に当該利用者が参加する所定の図柄を選択する際に表示する。これによって、所定の図柄が複数存在する場合も、カードの利用者は自身が希望する所定の図柄に関するワンタイムカードパズルゲームに参加することができる。
【０１３６】
表示画面１１００をカード発行装置１２０のディスプレイ３０４に表示する場合、カード（正カード）のカード番号、カードの利用者の氏名、事前に発行されたパズル番号（第２カード番号）などの各種情報は、カード発行装置１２０が第２カード１０００が備える磁気ストライプ１０２０などの記録媒体に記録された情報を読み取ることによって、当該各種情報の利用者による入力操作を省略するようにしてもよい。
【０１３７】
図１２−１において、表示画面１２１０は、カード発行装置１２０あるいは利用者の端末装置１４０において、分割図柄に関する情報とともに表示画面１２１０の表示指示の入力指示を受け付けた場合に、カード発行装置１２０のディスプレイ３０４あるいは利用者の端末装置１４０のディスプレイ５１８、５２８に表示される。表示画面１２１０は、入力を受け付けた分割図柄に関する情報に基づいて特定される分割図柄を表示する。
【０１３８】
表示画面１２１０は、最新の表示指示の入力を受け付けるまでの間に入力を受け付けた分割図柄に関する情報に基づくすべての分割図柄を表示する。図１２においては、最新の表示指示の入力を受け付けるまでの間に４つの分割図柄に関する情報の入力を受け付けた状態で、５つ目の表示指示の入力を受け付けた場合に表示される表示画面１２１０が示されている。
【０１３９】
カード発行装置１２０においては、カード挿入口に第２カード１０００が挿入された状態で表示指示の入力を受け付けた場合に表示画面１２１０を表示する。利用者の端末装置１４０においては、操作部５１９、５２９に対する所定の入力操作を受け付けた場合に表示画面１２１０を表示する。
【０１４０】
図１２−２において、表示画面１２２０は、表示画面１２１０を表示した後に、さらなる分割図柄に関する情報とともに表示画面１２１０の表示指示の入力指示を受け付けた場合に、カード発行装置１２０のディスプレイ３０４あるいは利用者の端末装置１４０のディスプレイ５１８、５２８に表示される。表示画面１２２０に示すように、分割図柄を示す画像は、先に入力を受け付けた分割図柄に関する情報に基づく画像に隣接する位置に表示されるものに限らない。入力を受け付けた分割図柄に関する情報によっては、表示画面１２２０中に既に表示されている分割図柄の画像とは離間した位置に、あらたに入力を受け付けた分割図柄の画像が表示されてもよい。
【０１４１】
図１２−３において、表示画面１２３０は、所定の図柄の全ての位置における分割図柄に関する情報の入力を受け付けた場合に、カード発行装置１２０のディスプレイ３０４あるいは利用者の端末装置１４０のディスプレイ５１８、５２８に表示される。図１２−１、図１２−２および図１２−３に示したように、表示画面１２１０、１２２０、１２３０においては、入力を受け付けた分割図柄に関する情報に基づいて該当する位置に該当する分割図柄を表示する。
【０１４２】
あるいは、表示画面１２１０、１２２０、１２３０においては、入力を受け付けた分割図柄に関する情報に基づいて該当する位置における分割図柄に関する情報の入力を受け付けたことのみを示す表示をおこなってもよい。具体的には、たとえば、全体が灰色無地の画面からワンタイムカードパズルゲームを開始し、分割図柄に関する情報の入力を受け付けた場合は、入力を受け付けた分割図柄に関する情報が示す位置に相当する部分（たとえば灰色無地）を、分割図柄に関する情報の入力を受け付けていない位置に相当する部分とは異なる色（たとえば白色無地）で示した表示画面を表示する。
【０１４３】
そして、この場合、たとえば、所定の図柄の全ての位置における分割図柄に関する情報の入力を受け付けた場合に、全体が白色無地の表示画面を表示し、その後、所定の図柄全体の画像を表示するようにしてもよい。これによって、ワンタイムカードパズルゲームへの参加者は、所定の図柄を形成するすべての分割図柄が集まってはじめて、所定の図柄全体の画像を知ることができる。
【０１４４】
この発明にかかる実施の形態のカード利用支援システム１００の運用に際しては、ワンタイムカードパズルゲームによって提供される所定の図柄が完成した場合に、分割図柄に関する情報を含む画像生成要求を送信した利用者に対して、景品が当たるようにしてもよい。これによって、景品を獲得することを目的として分割図柄を集めさせることができ、これによりカードの利用促進を図ることができる。
【０１４５】
（カード利用支援システム１００の機能的構成）
つぎに、この発明にかかる実施の形態のカード利用支援システム１００の機能的構成について説明する。図１３は、この発明にかかる実施の形態のカード利用支援システム１００の機能的構成を示すブロック図である。図１３において、この発明にかかる実施の形態のカード利用支援システム１００の各機能は、カード利用支援装置１１０、カード発行装置１２０、決済端末１３０および利用者の端末装置１４０が備える各部の機能によって実現することができる。
【０１４６】
（決済端末１３０の機能的構成）
まず、この発明にかかる実施の形態のカード利用支援システム１００における決済端末１３０の機能的構成について説明する。この発明にかかる実施の形態のカード利用支援システム１００における、決済端末１３０の各機能は、決済要求送信部１３１０と、決済結果受信部１３１１と、決済結果出力部１３１２と、によって実現される。この発明にかかる実施の形態のカード利用支援システム１００における、決済端末１３０の各機能を実現する決済要求送信部１３１０、決済結果受信部１３１１、決済結果出力部１３１２は、カード決済に特化した機能を備えた決済端末１３０やカード決済機能を備えたＰＯＳ端末によって実現される決済端末１３０が備える各部によって実現することができる。
【０１４７】
決済要求送信部１３１０は、カード決済にかかる各種の処理の実行に際して、カード利用支援装置１１０との間で通信をおこない、カード利用支援装置１１０に対して決済要求を送信する。決済要求は、カード決済に利用されたカードのカード番号、カード決済をおこなった決済端末１３０の識別情報、カード決済の日時情報、カード決済を要求する金額情報、などを含んでいる。
【０１４８】
この実施の形態において、決済要求は、カード番号に代えて、第２カード番号を含んでいてもよい。また、この実施の形態において、決済要求における所定の位置には、第２番号を含むか否かを示すフラグが設定されていてもよい。これにより、決済要求を受信したカード利用支援装置１１０が受信した決済要求に第２カード番号が含まれるか否かを判断することができる。
【０１４９】
決済結果受信部１３１１は、カード決済にかかる各種の処理の実行に際して、カード利用支援装置１１０との間で通信をおこない、カード利用支援装置１１０から送信された決済結果を受信する。決済結果は、たとえば、決済端末１３０からカード利用支援装置１１０に送信した決済要求に基づいてカード利用支援装置１１０においておこなわれた決済処理が正常に完了したか否かを案内する情報を含む。
【０１５０】
決済結果出力部１３１２は、決済結果受信部１３１１が受信した決済結果を出力する。決済結果出力部１３１２は、たとえば、決済結果受信部１３１１が受信した決済結果に基づいて、決済結果の内容を示す情報を印字した伝票を発行することによって決済結果を出力する。
【０１５１】
（カード発行装置１２０の機能的構成）
つぎに、この発明にかかる実施の形態のカード利用支援システム１００におけるカード発行装置１２０の機能的構成について説明する。この発明にかかる実施の形態のカード利用支援システム１００における、カード発行装置１２０の各機能は、参加申込受付部１３２０と、参加要求送信部１３２１と、図柄指定受付部１３２２と、図柄指定情報送信部１３２３と、分割図柄情報受信部１３２４と、カード発行部１３２５と、カード情報読取部１３２６と、分割図柄情報送信部１３２７と、画像情報受信部１３２８と、表示部１３２９と、によって実現される。
【０１５２】
この発明にかかる実施の形態のカード利用支援システム１００における、カード発行装置１２０の各機能を実現する参加申込受付部１３２０、参加要求送信部１３２１、図柄指定受付部１３２２、図柄指定情報送信部１３２３、分割図柄情報受信部１３２４、カード発行部１３２５、カード情報読取部１３２６、分割図柄情報送信部１３２７、画像情報受信部１３２８、表示部１３２９は、カード発行装置１２０を実現するコンピュータ装置が備える各部によって実現することができる。
【０１５３】
参加申込受付部１３２０は、カード利用支援システム１００が提供するワンタイムカードパズルゲームへの参加の申し込みを受け付ける。参加申込受付部１３２０は、たとえば、カード利用支援システム１００が提供するワンタイムカードパズルゲームへの参加を希望する利用者のカード番号の入力を受け付ける。
【０１５４】
さらに、参加申込受付部１３２０は、参加要求を送信した結果、カード利用支援装置１１０から送信される分割図柄に関する情報の送信先を指定する情報を受け付けてもよい。具体的には、たとえば、上記の分割図柄に関する情報が、所定の図柄における分割図柄の位置を指定する情報によって実現される場合、参加申込受付部１３２０は、利用者の端末装置１４０に設定された電子メールアドレスなどを分割図柄に関する情報の送信先を指定する情報として、当該電子メールアドレスの入力を受け付ける。
【０１５５】
参加要求送信部１３２１は、参加申込受付部１３２０が、カード番号の入力を受け付けることによってカード利用支援システム１００が提供するワンタイムカードパズルゲームへの参加の申し込みを受け付けた場合に、カード利用支援装置１１０に対して、当該カード番号を含む参加要求を送信する。
【０１５６】
図柄指定受付部１３２２は、カード利用支援システム１００が提供するワンタイムカードパズルゲームを実現する図柄が複数存在する場合に、当該複数存在する図柄のうちのいずれの図柄を完成させるワンタイムカードパズルゲームに参加するのかの指定を受け付ける。具体的には、図柄指定受付部１３２２は、たとえば、ワンタイムカードパズルゲームを実現する図柄が「図柄Ａ０１」、「図柄Ａ０２」、「図柄Ｂ」、「図柄Ｃ」の４種類存在した場合、「図柄Ａ０１」、「図柄Ａ０２」、「図柄Ｂ」あるいは「図柄Ｃ」のように、一つの図柄を指定する入力操作を受け付ける。図柄指定情報送信部１３２３は、カード利用支援装置１１０に対して、図柄指定受付部１３２２が指定を受け付けた図柄を特定可能な情報を送信する。
【０１５７】
分割図柄情報受信部１３２４は、参加要求送信部１３２１がカード利用支援装置１１０に送信した参加要求に対して、当該カード利用支援装置１１０から出力（送信）された分割図柄に関する情報を受信する。また、分割図柄情報受信部１３２４は、参加要求送信部１３２１がカード利用支援装置１１０に送信した参加要求に対して、当該カード利用支援装置１１０から分割図柄に関する情報および第２カード情報が出力（送信）された場合は、当該分割図柄情報および第２カード情報を受信する。
【０１５８】
カード発行部１３２５は、分割図柄情報受信部１３２４が受信した分割図柄に関する情報に基づいて、当該分割図柄に関する情報を記録した第２カード１０００を発行する。カード発行部１３２５は、たとえば、分割図柄情報受信部１３２４が受信した分割図柄に関する情報を券面に印字した第２カード１０００を発行する。分割図柄情報受信部１３２４がカード利用支援装置１１０から分割図柄に関する情報および第２カード情報を受信した場合、カード発行部１３２５は、分割図柄情報受信部１３２４が受信した分割図柄に関する情報および第２カード情報を券面に印字した第２カード１０００を発行する。
【０１５９】
分割図柄情報受信部１３２４が受信した分割図柄に関する情報が、分割図柄そのものを示す画像情報である場合、カード発行部１３２５は、分割図柄を示す画像を券面に印字した第２カード１０００を発行する。分割図柄情報受信部１３２４が受信した分割図柄に関する情報が、分割図柄を特定可能な情報である場合、カード発行部１３２５は、たとえば、「縦５−横１」、「上から５番目、左から１列目」、「左下」などのように、完成させる所定の図柄におけるカードの配置位置を案内する情報を券面に印字した第２カード１０００を発行する。
【０１６０】
カード発行装置１２０が発行する第２カード１０００が磁気ストライプ１０２０やＩＣチップなどの記録媒体を備えている場合、カード発行部１３２５は、当該記録媒体に分割図柄に関する情報や第２カード情報を記録した第２カード１０００を発行してもよい。さらに、分割図柄情報受信部１３２４がカード利用支援装置１１０から分割図柄に関する情報および第２カード情報を受信した場合、カード発行部１３２５は、分割図柄に関する情報を券面に印字するとともに、第２カード情報を記録媒体に記録した第２カード１０００を発行してもよい。
【０１６１】
カード情報読取部１３２６は、カード発行部１３２５が発行した第２カード１０００に設けられた磁気ストライプ１０２０やＩＣチップなどの記録媒体に記録された情報を読み取る。カード情報読取部１３２６は、たとえば、カード発行装置１２０における所定の位置に挿入（セット）された第２カード１０００に設けられた磁気ストライプ１０２０やＩＣチップなどの記録媒体に記録された情報を、磁気ヘッドを用いて再生する（読み取る）ことによって、当該記録媒体に記録された情報を読み取る。
【０１６２】
分割図柄情報送信部１３２７は、カード情報読取部１３２６が読み取った情報に含まれる分割図柄に関する情報を、カード利用支援装置１１０に対して送信する。分割図柄情報送信部１３２７は、カード情報読取部１３２６が読み取った情報に含まれる分割図柄に関する情報が、分割図柄を特定可能な情報である場合に、当該分割図柄に関する情報をカード利用支援装置１１０に対して送信する。分割図柄情報送信部１３２７は、カード情報読取部１３２６が読み取った情報に、分割図柄に関する情報および第２カード情報が含まれる場合は、分割図柄に関する情報および第２カード情報の両方をカード利用支援装置１１０に対して送信してもよい。
【０１６３】
画像情報受信部１３２８は、分割図柄情報送信部１３２７がカード利用支援装置１１０に送信したが分割図柄に関する情報に対して、当該カード利用支援装置１１０から出力（送信）された分割図柄を示す画像情報および当該画像情報の位置を指定する情報を受信する。表示部１３２９は、画像情報受信部１３２８が受信した分割図柄を示す画像情報を、同じく受信した画像情報の位置を指定する情報によって指定される位置に当てはめた画像を表示する。
【０１６４】
表示部１３２９は、たとえば、画像情報受信部１３２８が受信した分割図柄が属する完成図柄と同じ完成図柄の他の分割図柄を示す画像情報を既に受信していた場合、既に受信していた画像情報をそれぞれの位置に当てはめた画像を表示する。これにより、既に受信していた画像情報が複数存在する場合、表示部１３２９は、複数の画像を当てはめた、図柄情報単体の場合よりも完成形に近い図柄を表示する。
【０１６５】
また、表示部１３２９は、たとえば、カード情報読取部１３２６が読み取った情報が分割図柄そのものを示す画像情報である場合、カード情報読取部１３２６が読み取った情報に基づいて、分割図柄を示す画像情報を、同じく読み取った情報（画像情報の位置を指定する情報）によって指定される位置に当てはめた画像を表示する。
【０１６６】
（利用者の端末装置１４０の機能的構成）
つぎに、この発明にかかる実施の形態のカード利用支援システム１００における利用者の端末装置１４０の機能的構成について説明する。この発明にかかる実施の形態のカード利用支援システム１００における、利用者の端末装置１４０の各機能は、分割図柄情報受信部１３３０と、表示部１３３１と、入力受付部１３３２と、分割図柄情報送信部１３３３と、画像情報受信部１３３４と、によって実現される。
【０１６７】
この発明にかかる実施の形態のカード利用支援システム１００における、利用者の端末装置１４０の各機能を実現する分割図柄情報受信部１３３０、表示部１３３１、入力受付部１３３２、分割図柄情報送信部１３３３、画像情報受信部１３３４は、利用者の端末装置１４０を実現するコンピュータ装置あるいは利用者の端末装置１４０を実現する携帯型通信機器が備える各部によって実現することができる。
【０１６８】
分割図柄情報受信部１３３０は、カード発行装置１２０からカード利用支援装置１１０に対して、参加要求とともに分割図柄に関する情報の送信先を指定する情報が送信された場合に、カード発行装置１２０からカード利用支援装置１１０に送信した参加要求に対応する分割図柄に関する情報を受信する。分割図柄情報受信部１３３０は、たとえば、参加要求とともに送信された分割図柄に関する情報が分割図柄の位置を指定する情報である場合に、当該分割図柄に関する情報を受信する。
【０１６９】
表示部１３３１は、分割図柄情報受信部１３３０が受信した分割図柄に関する情報を可視化して表示する。表示部１３３１は、たとえば、分割図柄情報受信部１３３０が受信した分割図柄に関する情報が分割図柄の位置を指定する情報である場合に、「縦５−横１」、「上から５番目、左から１列目」、「左下」などのように、完成させる所定の図柄におけるカードの配置位置を案内する情報を、利用者の端末装置１４０を実現するコンピュータ装置やスマートフォンが備えるディスプレイに表示する。
【０１７０】
入力受付部１３３２は、カード発行装置１２０が発行した第２カード１０００に記録された分割図柄に関する情報の入力を受け付ける。具体的には、入力受付部１３３２は、たとえば、カード発行装置１２０が発行した第２カード１０００に記録されている、分割図柄の位置を示す情報の入力を受け付ける。上記の表示部１３３１は、分割図柄情報受信部１３３０が受信した分割図柄に関する情報を表示するとともに、表示した情報を確定する入力操作を受け付ける操作キーを表示してもよい。この場合、入力受付部１３３２は、表示部が表示した操作キーに対する入力操作を受け付けた場合に、当該操作キーとともに表示されている分割図柄の位置を示す情報の入力を受け付ける。
【０１７１】
分割図柄情報送信部１３３３は、入力受付部１３３２が入力を受け付けた分割図柄に関する情報を、カード利用支援装置１１０に対して送信する。また、分割図柄情報送信部１３３３は、カード利用支援装置１１０に対する分割図柄に関する情報の送信に際して、当該分割図柄に関する情報の送信元となる利用者の端末装置１４０の識別情報をあわせて送信する。利用者の端末装置１４０の識別情報は、たとえば、当該利用者の端末装置１４０に設定された電子メールアドレスによって実現することができる。
【０１７２】
画像情報受信部１３３４は、分割図柄情報送信部１３３３からカード利用支援装置１１０に送信した分割図柄に関する情報に対応して、当該カード利用支援装置１１０から出力（送信）された分割図柄の画像情報を受信する。上記の表示部１３３１は、画像情報受信部１３３４が画像情報を受信した場合に、当該画像情報を、同じく受信した画像情報の位置を指定する情報によって指定される位置に当てはめた画像を表示する。
【０１７３】
表示部１３３１は、画像情報受信部１３３４が受信した分割図柄が属する完成図柄と同じ完成図柄の他の分割図柄を示す画像情報を既に受信していた場合、既に受信していた画像情報をそれぞれの位置に当てはめた画像を表示する。表示部１３３１は、画像情報受信部１３３４が受信した分割図柄が属する完成図柄と同じ完成図柄の他の分割図柄を示す画像情報を受信していた数が多いほど、完成形（完成された完成図柄）に近い図柄を表示する。
【０１７４】
（カード利用支援装置１１０の機能的構成）
つぎに、この発明にかかる実施の形態のカード利用支援システム１００におけるカード利用支援装置１１０の機能的構成について説明する。この発明にかかる実施の形態のカード利用支援システム１００における、カード利用支援装置１１０の各機能は、参加要求受付部１３４０と、利用履歴取得部１３４１と、記憶部１３４２と、参加可否判断部１３４３と、図柄指定情報受付部１３４４と、分割図柄選択部（図柄選択部）１３４５と、第２カード情報生成部１３４６と、分割図柄情報出力部１３４７と、分割図柄情報受付部１３４８と、画像生成部１３４９と、出力部１３５０と、決済要求受付部１３５１と、決済処理部１３５２と、決済結果送信部１３５３と、によって実現される。
【０１７５】
この発明にかかる実施の形態のカード利用支援システム１００におけるカード利用支援装置１１０の各機能を実現する参加要求受付部１３４０、利用履歴取得部１３４１、記憶部１３４２、参加可否判断部１３４３、図柄指定情報受付部１３４４、分割図柄選択部１３４５、第２カード情報生成部１３４６、分割図柄情報出力部１３４７、分割図柄情報受付部１３４８、画像生成部１３４９、出力部１３５０、決済要求受付部１３５１、決済処理部１３５２、決済結果送信部１３５３は、カード利用支援装置１１０を実現するコンピュータ装置が備える各部によって実現することができる。
【０１７６】
参加要求受付部１３４０は、カード発行装置１２０から送信された参加要求を受け付ける。参加要求は、利用者が所有するカードを特定するカード情報を含む。カード情報は、たとえば、カード番号によって実現することができる。あるいは、カード情報は、たとえば、利用者の氏名および暗証番号によって実現されるものであってもよい。
【０１７７】
利用履歴取得部１３４１は、参加要求受付部１３４０が受け付けた参加要求に基づいて、カードの利用履歴を取得する。たとえば、参加要求受付部１３４０がカード番号を含む参加要求を受け付けた場合、利用履歴取得部１３４１は、記憶部１３４２における利用者データベースやカード利用履歴データベースを参照して、参加要求受付部１３４０が受け付けた参加要求に含まれるカード番号に関連付けられているカードの利用履歴を取得する。
【０１７８】
あるいは、たとえば、参加要求受付部１３４０が利用者の氏名および暗証番号を含む参加要求を受け付けた場合、利用履歴取得部１３４１は、記憶部１３４２における利用者データベース６００やカード利用履歴データベース７００を参照して、参加要求受付部１３４０が受け付けた参加要求に含まれる氏名に関連付けられているカードの利用履歴のうち、暗証番号が合致するカードの利用履歴を取得する。
【０１７９】
参加可否判断部１３４３は、利用履歴取得部１３４１が取得した利用履歴に基づいて、カード情報によって特定されるカードの利用者が所定のキャンペーン活動に参加可能であるか否かを判断する。所定のキャンペーン活動は、上述したように、たとえば、所定の図柄を構成する複数の分割図柄を所定の配列で配列することによって当該所定の図柄を完成させる、いわゆるジグソーパズルを複数人で完成させる活動とすることができる。所定の図柄および複数の分割図柄は、参加要求受付部１３４０が参加要求を受け付けた時点において継続中のキャンペーン活動、当該キャンペーン活動に参加するカードの利用者の人数、カードの利用者のカードの利用状況、などによって適宜設定される。
【０１８０】
参加可否判断部１３４３は、たとえば、任意の期間におけるカードの利用金額があらかじめ定められた所定の金額以上であるか否かを判断することにより、該当するカードの利用者が所定のキャンペーン活動に参加可能であるか否かを判断する。参加可否判断部１３４３による判断に供される任意の期間は、たとえば、カードの利用金額を請求する所定期間（たとえば１ヶ月など）とすることができる。あるいは、参加可否判断部１３４３による判断に供される任意の期間は、たとえば、カード会社が企画するキャンペーン期間であってもよい。
【０１８１】
この場合、参加可否判断部１３４３は、たとえば、１ヶ月におけるカードの利用金額があらかじめ定められた所定の金額以上であれば、該当するカードの利用者が参加可能であると判断する。また、この場合、参加可否判断部１３４３は、たとえば、１ヶ月におけるカードの利用金額があらかじめ定められた所定の金額未満であれば、該当するカードの利用者の所定のキャンペーン活動への参加は不可能である（参加要求を却下する）と判断する。
【０１８２】
図柄指定情報受付部１３４４は、複数種類の図柄の中から任意の図柄を指定する図柄指定情報を受け付ける。図柄指定情報は、決済要求とともにカード発行装置１２０から送信され、たとえば、「図柄Ａ０１」、「図柄Ａ０２」、「図柄Ｂ」、「図柄Ｃ」などのように指定された図柄を特定することができる。
【０１８３】
分割図柄選択部（図柄選択部）１３４５は、参加可否判断部１３４３の判断結果に基づいて、所定の図柄を構成する複数の分割図柄の中の任意の分割図柄を選択する。分割図柄選択部１３４５は、たとえば、参加可否判断部１３４３が参加可能であると判断した場合に、所定の図柄を構成する複数の分割図柄の中の任意の分割図柄を選択する。
【０１８４】
また、分割図柄選択部１３４５は、参加可否判断部１３４３が参加可能であると判断した参加要求とともに、図柄指定情報受付部１３４４が図柄指定情報を受け付けた場合、図柄データベース９００を参照して、該図柄指定情報に基づいて特定される図柄を選択し、選択された図柄を構成する複数の分割図柄の中から任意の分割図柄を選択する。
【０１８５】
また、分割図柄選択部１３４５は、所定のキャンペーン活動期間中、すなわち所定の図柄が完成するまでの間に、同一の分割図柄を複数回選択するようにしてもよい。これにより、所定の図柄が完成するまでの間に、同一の種類の図柄の中の、同じ分割図柄が複数回選択される状況が発生しうる。
【０１８６】
第２カード情報生成部１３４６は、参加可否判断部１３４３の判断結果に基づいて、参加可否判断部１３４３が参加可能であると判断した場合に、第２カード情報を生成する。第２カード情報は、参加要求受付部１３４０が受け付けた参加要求に含まれるカード情報にかかる情報であって、たとえば、第２カード番号によって実現することができる。
【０１８７】
第２カード情報生成部１３４６によって第２カード情報を生成するか否かは、カード（正カード）の利用者が任意に設定できるようにしてもよい。たとえば、カード発行装置１２０においてワンタイムカードパズルゲームへの参加の申し込みを受け付ける際に、第２カード１０００にクレジット機能を付加するか否かを選択させ、カード（正カード）の利用者によって第２カード１０００にクレジット機能を付加する選択をともなって送信された参加要求を受信した場合に、第２カード情報生成部１３４６によって第２カード情報を生成するようにしてもよい。これによって、カード（正カード）の利用者の意に反して、クレジット機能を備える第２カード１０００が発行されることを防止することができる。
【０１８８】
記憶部１３４２は、第２カード情報生成部１３４６が生成した第２カード情報を記憶する。具体的には、記憶部１３４２は、第２カード情報生成部１３４６が生成した第２カード情報を、第２カード情報データベース８００に記憶する。記憶部１３４２は、第２カード情報データベース８００において、第２カード情報をカード情報に関連付けて記憶する。１つのカード番号（正カードのカード番号）に対して複数の第２カード情報が生成された場合、記憶部１３４２は、１つのカード番号（正カードのカード番号）に複数の第２カード情報をそれぞれ関連付けて記憶する。
【０１８９】
分割図柄情報出力部１３４７は、分割図柄選択部１３４５が選択した分割図柄に関する情報を含む、第２カード１０００の発行指示を出力する。分割図柄情報出力部１３４７は、たとえば、参加要求受付部１３４０が受け付けた参加要求の送信元となるカード発行装置１２０あるいは分割図柄情報の送信元となる利用者の端末装置１４０に対して第２カード１０００の発行指示を出力する。
【０１９０】
分割図柄情報出力部１３４７は、分割図柄に関する情報として、たとえば、分割図柄選択部１３４５が選択した分割図柄そのものを示す画像情報を含む第２カード１０００の発行指示を出力する。あるいは、分割図柄情報出力部１３４７は、分割図柄に関する情報として、たとえば、分割図柄選択部１３４５が選択した分割図柄の位置を指定する情報を含む第２カード１０００の発行指示を出力してもよい。
【０１９１】
上記の第２カード情報生成部１３４６が、カード（正カード）の利用者によって第２カード１０００にクレジット機能を付加する選択をともなって送信された参加要求を受信すると第２カード情報を生成するようにした場合、分割図柄情報出力部１３４７は、クレジット機能を付加する選択をともなって送信された参加要求を受信すると、第２カード情報生成部１３４６が生成した第２カード情報および分割図柄選択部１３４５が選択した分割図柄に関する情報を含む第２カード１０００の発行指示を出力する。
【０１９２】
また、上記の第２カード情報生成部１３４６が、カード（正カード）の利用者によって第２カード１０００にクレジット機能を付加する選択をともなって送信された参加要求を受信すると第２カード情報を生成するようにした場合、分割図柄情報出力部１３４７は、クレジット機能を付加する選択がともなわずに送信された参加要求を受信すると、分割図柄選択部１３４５が選択した分割図柄に関する情報を含み、かつ、第２カード情報生成部１３４６が生成した第２カード情報を含まない第２カード１０００の発行指示を出力する。
【０１９３】
カード発行装置１２０は、第２カード１０００の発行指示を受信すると、受信した第２カード１０００の発行指示に基づいて、分割図柄選択部１３４５が選択した分割図柄に関する情報を記録した第２カード１０００を発行する。カード利用支援システム１００においては、カード利用支援装置１１０がカード発行装置１２０に送信した第２カード１０００の発行指示に基づいて、カード発行装置１２０から第２カード１０００を発行することによって分割図柄に関する情報を出力することができる。
【０１９４】
カード発行装置１２０は、第２カード１０００の発行指示を受信すると、受信した第２カード１０００の発行指示に第２カード情報が含まれるか否かを判断し、第２カード１０００の発行指示に第２カード情報が含まれる場合に、第２カード１０００の券面あるいは第２カード１０００が備える磁気ストライプ１０２０やＩＣチップなどの記録媒体に第２カード情報を記録した第２カード１０００を発行する。
【０１９５】
分割図柄情報出力部１３４７は、さらに、第２カード１０００の利用期間をあらかじめ定められた所定期間内に限定する限定条件を含む第２カード１０００の発行指示を出力してもよい。あるいは、分割図柄情報出力部１３４７は、さらに、第２カード１０００の利用回数をあらかじめ定められた所定回数に限定する限定条件を含む第２カード１０００の発行指示を出力してもよい。
【０１９６】
第２カード情報生成部１３４６が第２カード情報を生成した場合、分割図柄情報出力部１３４７は、カード発行装置１２０に対して分割図柄情報および該当する第２カード情報を含む第２カード１０００の発行指示を出力（送信）し、出力（送信）した第２カード１０００の発行指示に基づいて、カード発行装置１２０に対して分割図柄に関する情報および第２カード情報を記録した第２カード１０００を発行させる。
【０１９７】
この実施の形態においては、第２カード情報生成部１３４６が生成した第２カード情報および当該第２カード情報を記録した第２カード１０００の発行指示を分割図柄情報出力部１３４７が出力することによって、分割図柄に関する情報および第２カード情報を記録した、前記カードとは異なる第２カード１０００を発行させることができる。すなわち、分割図柄情報出力部１３４７が第２カード１０００の発行指示を出力することによって、発行手段（発行部）としての機能を実現することができる。
【０１９８】
分割図柄情報受付部１３４８は、分割図柄情報出力部１３４７が出力した分割図柄に関する情報を含む画像生成要求の入力を受け付ける。具体的には、分割図柄情報受付部１３４８は、たとえば、分割図柄情報出力部１３４７が出力した分割図柄情報の送信先となるカード発行装置１２０が送信した分割図柄に関する情報に基づいた画像を生成する画像生成要求の入力を受け付ける。
【０１９９】
画像生成部１３４９は、分割図柄情報受付部１３４８が画像生成要求を受け付けた場合に、当該画像生成要求に含まれる分割図柄に関する情報に基づいて、該当する分割図柄の画像を生成する。画像生成部１３４９は、たとえば、画像生成要求に含まれる分割図柄に関する情報に基づいて、記憶部１３４２の図柄データベース９００に記憶された画像情報を読み出し、読み出した画像情報を所定のメモリに展開することによって該当する分割図柄の画像を生成する。出力部１３５０は、画像生成部１３４９が生成した画像を示す画像情報を該当するカード発行装置１２０あるいは利用者の端末装置１４０に対して出力する。
【０２００】
決済要求受付部１３５１は、決済端末１３０から送信された決済要求を受け付ける。決済処理部１３５２は、決済要求受付部１３５１が受け付けた決済要求に基づいて決済処理を実行する。たとえば、決済要求受付部１３５１がカード情報を含む決済要求を受け付けた場合、決済処理部１３５２は受け付けたカード情報に含まれるカード番号および当該カード番号に関連付けられた情報に基づいて決済処理をおこなう。また、具体的には、たとえば、決済要求受付部１３５１が第２カード情報を含む決済要求を受け付けた場合、決済処理部１３５２は受け付けた第２カード情報に含まれる第２カード番号および当該第２カード番号に関連付けられた情報に基づいて決済処理をおこなう。
【０２０１】
決済結果送信部１３５３は、決済処理部１３５２が実行した決済処理の結果を、決済要求受付部１３５１が受け付けた決済要求の送信元となる決済端末１３０に対して送信する。決済結果送信部１３５３は、決済処理部１３５２が決済処理を完了できた場合は決済処理が正常に完了したことを示す決済結果を送信し、決済処理部１３５２が決済処理を完了できなかった場合は決済処理が正常に完了しなかったことを示す決済結果を送信する。
【０２０２】
（カード利用支援システム１００の処理手順）
つぎに、この発明にかかる実施の形態のカード利用支援システム１００における、カード利用支援装置１１０の処理手順について説明する。図１４−１、図１４−２および図１４−３は、この発明にかかる実施の形態のカード利用支援システム１００における、カード利用支援装置１１０の処理手順を示すフローチャートである。図１４−１のフローチャートにおいて、まず、カード発行装置１２０あるいは利用者の端末装置１４０から送信されたワンタイムカードパズルゲームへの参加要求を受信したか否かを判断する（ステップＳ１４０１）。ワンタイムカードパズルゲームへの参加要求を受信していない場合（ステップＳ１４０１：Ｎｏ）は、ワンタイムカードパズルゲームへの参加要求を受信するまで待機する。
【０２０３】
ステップＳ１４０１において、ワンタイムカードパズルゲームへの参加要求を受信した場合（ステップＳ１４０１：Ｙｅｓ）は、受信された参加要求に基づいて、該当するカード情報を取得する（ステップＳ１４０２）。ステップＳ１４０２においては、利用者データベース６００を参照して、ステップＳ１４０１：Ｙｅｓにおいて受信された参加要求に含まれるカード番号に関連付けられたカード情報を取得する。
【０２０４】
つぎに、ステップＳ１４０２において取得されたカード情報に基づいて、該当する利用者のワンタイムカードパズルゲームへの参加が可能であるか否かを判断する（ステップＳ１４０３）。該当する利用者のワンタイムカードパズルゲームへの参加が不可能である場合（ステップＳ１４０３：Ｎｏ）は、一連の処理を終了する。ステップＳ１４０３において、該当する利用者のワンタイムカードパズルゲームへの参加が不可能である場合は、ステップＳ１４０１：Ｙｅｓにおいて受信された参加要求の送信元に対して、ワンタイムカードパズルゲームへの参加が不可能であることを示すメッセージを含む応答をおこなってもよい。
【０２０５】
ステップＳ１４０３において、該当する利用者のワンタイムカードパズルゲームへの参加が可能である場合（ステップＳ１４０３：Ｙｅｓ）は、ステップＳ１４０１：Ｙｅｓにおいて受信された参加要求とともに、あるいは当該参加要求に含まれる図柄指定情報を受信したか否かを判断する（ステップＳ１４０４）。ステップＳ１４０４において、図柄指定情報を受信した場合（ステップＳ１４０４：Ｙｅｓ）は、受信された図柄指定情報に基づいて、ワンタイムカードパズルゲームにおいて完成を目指す所定の図柄を特定する（ステップＳ１４０５）。そして、特定された所定の図柄を形成する複数の分割図柄の中から、位置の分割図柄を選択する（ステップＳ１４０６）。
【０２０６】
つぎに、ステップＳ１４０１：Ｙｅｓにおいて受信された参加要求に含まれるカード番号にかかる第２カード情報を生成する（ステップＳ１４０７）。ステップＳ１４０７においては、ステップＳ１４０１：Ｙｅｓにおいて受信された参加要求に含まれるカード番号にかかる第２カード情報として、たとえば、第２カード番号を生成する。あるいは、第２カード１０００の発行が指定されていない場合、ステップＳ１４０７においては、ステップＳ１４０１：Ｙｅｓにおいて受信された参加要求に含まれるカード番号にかかる第２カード情報として、たとえば、ステップＳ１４０６において選択された分割図柄を特定可能な任意の識別番号を生成してもよい。
【０２０７】
そして、第２カード情報データベース８００に、ステップＳ１４０７において生成した第２カード情報を記憶するとともに（ステップＳ１４０８）、ステップＳ１４０１：Ｙｅｓにおいて受信した参加要求の送信元に対してステップＳ１４０６において選択された分割図柄に関する情報およびステップＳ１４０７において生成した第２カード情報を含む第２カード１０００の発行指示を送信して（ステップＳ１４０９）、一連の処理を終了する。
【０２０８】
一方、ステップＳ１４０４において、図柄指定情報を受信していない場合（ステップＳ１４０４：Ｎｏ）は、複数の所定の図柄の中から任意の所定の図柄を選択して（ステップＳ１４１０）、ステップＳ１４０５へ移行する。ステップＳ１４１０においては、ワンタイムカードパズルゲームへの参加によって完成させる所定の図柄が１種類である場合は、当該１種類の所定の図柄を選択してステップＳ１４０５へ移行する。
【０２０９】
図１４−２のフローチャートにおいて、まず、カード発行装置１２０あるいは利用者の端末装置１４０から送信された画像生成要求を受信したか否かを判断する（ステップＳ１４２１）。ステップＳ１４２１において、画像生成要求を受信していない場合（ステップＳ１４２１：Ｎｏ）、画像生成要求を受信するまで待機する。
【０２１０】
ステップＳ１４２１において、カード発行装置１２０あるいは利用者の端末装置１４０から送信された画像生成要求を受信した場合（ステップＳ１４２１：Ｙｅｓ）は、受信された画像生成要求に基づいて、分割図柄に関する情報を抽出する（ステップＳ１４２２）。そして、抽出した分割画像に関する情報に基づいて、当該分割画像を示す画像を生成する（ステップＳ１４２３）。その後、ステップＳ１４２１：Ｙｅｓにおいて受信した画像生成要求の送信元に対して、ステップＳ１４２３において生成した分割画像を示す画像を示す画像情報を送信して（ステップＳ１４２４）、一連の処理を終了する。
【０２１１】
図１４−３のフローチャートにおいて、まず、決済端末１３０から送信された決済要求を受信したか否かを判断する（ステップＳ１４３１）。ステップＳ１４３１において、決済端末１３０から送信された決済要求を受信していない場合（ステップＳ１４３１：Ｎｏ）は、決済端末１３０から送信された決済要求を受信するまで待機する。
【０２１２】
ステップＳ１４３１において、決済端末１３０から送信された決済要求を受信した場合（ステップＳ１４３１：Ｙｅｓ）は、受信された決済要求に第２カード番号（第２カード情報）が含まれているか否かを判断する（ステップＳ１４３２）。ステップＳ１４３２においては、たとえば、ステップＳ１４３１：Ｙｅｓにおいて受信された決済要求における所定の位置に、第２カード番号を含むか否かを示すフラグが設定されているか否か（フラグが立っているか否か）を判断することによって、当該決済要求に第２カード番号が含まれているか否かを判断する。
【０２１３】
あるいは、第２カード番号がカード番号と同じルールにしたがって生成されている場合、ステップＳ１４３２においては、たとえば、第２カード情報データベース８００を参照して、カード番号を用いておこなう通常のカード決済に供される決済要求においてカード番号が記述されている位置に記述されているカード番号が、第２カード情報データベース８００において第２カード番号として記憶されているか否かを判断することによって、当該決済要求に第２カード番号が含まれているか否かを判断するようにしてもよい。ステップＳ１４３２において、ステップＳ１４３１：Ｙｅｓにおいて受信された決済要求に第２カード番号が含まれていない場合（ステップＳ１４３２：Ｎｏ）は、ステップＳ１４３４へ移行する。
【０２１４】
ステップＳ１４３２において、ステップＳ１４３１：Ｙｅｓにおいて受信された決済要求に第２カード番号が含まれている場合（ステップＳ１４３２：Ｙｅｓ）は、当該第２カード番号の有効性を判断する（ステップＳ１４３３）。ステップＳ１４３３においては、たとえば、第２カード情報データベース８００を参照して、ステップＳ１４３１：Ｙｅｓにおいて受信された決済要求に含まれる第２カード番号が有効であるか否かを判断する。
【０２１５】
具体的には、ステップＳ１４３３においては、たとえば、第２カード情報データベース８００を参照して、ステップＳ１４３１：Ｙｅｓにおいて決済要求を受信した日時が、当該決済要求に含まれる第２カード番号が生成されてから所定時間内であるか否かを判断する。そして、ステップＳ１４３１：Ｙｅｓにおいて決済要求を受信した日時が、当該決済要求に含まれる第２カード番号が生成されてから所定時間内である場合に、該当する第２カード番号が有効であると判断する。
【０２１６】
あるいは、具体的には、ステップＳ１４３３においては、たとえば、第２カード情報データベース８００を参照して、ステップＳ１４３１：Ｙｅｓにおいて受信した決済要求に含まれる第２カード番号を含む決済要求を、既に所定回数受信したか否かを判断する。そして、ステップＳ１４３３においては、ステップＳ１４３１：Ｙｅｓにおいて受信した決済要求に含まれる第２カード番号を含む決済要求を、既に所定回数受信していない場合に、該当する第２カード番号が有効であると判断するようにしてもよい。
【０２１７】
ステップＳ１４３３における判断の結果、該当する一時カード番号が有効ではない場合（ステップＳ１４３３：Ｎｏ）は、一連の処理を終了する。一方、ステップＳ１４３３における判断の結果、該当する一時カード番号が有効である場合（ステップＳ１４３３：Ｙｅｓ）は、当該第２カード番号に対応するカード番号を特定する（ステップＳ１４３４）とともに、取得されたカード番号にかかるカード情報を取得する（ステップＳ１４３５）。
【０２１８】
ステップＳ１４３４においては、第２カード情報データベース８００を参照して、該当する第２カード番号に対応するカード番号を、今回のカード決済にかかるカード番号として特定する。ステップＳ１４３５においては、利用者データベース６００における該当する利用者に関する情報や、カード利用履歴データベース７００におけるカード利用履歴情報を、ステップＳ１４３４において特定されたカード番号にかかるカード情報として取得する。
【０２１９】
ステップＳ１４３１：Ｙｅｓにおいて受信された決済要求に一時カード番号が含まれていない場合、ステップＳ１４３４においては、ステップＳ１４３１：Ｙｅｓにおいて受信された決済要求に含まれるカード番号を、今回のカード決済にかかるカード番号として特定する。
【０２２０】
そして、ステップＳ１４３４において特定されたカード番号、および、ステップＳ１４３５において取得されたカード情報に基づいて決済処理を実行し（ステップＳ１４３６）、ステップＳ１４３１：Ｙｅｓにおいて受信された決済要求の送信元となる決済端末１３０に対して、当該決済処理の結果を示す決済結果を送信して（ステップＳ１４３７）、一連の処理を終了する。
【０２２１】
決済端末１３０においては、決済サーバ１４０から送信された決済処理の結果に関する情報に基づいて、伝票を印刷するなどの所定の処理をおこなう。カード決済に際して決済端末１３０が実行する処理については、公知の技術であるため説明を省略する。
【０２２２】
以上説明したように、この発明にかかる実施の形態のカード利用支援システム１００は、カードを特定するカード情報を含む参加要求を受け付け、受け付けた参加要求に基づいて、カードの利用履歴を取得し、取得した利用履歴に基づいて、カード情報によって特定されるカードの利用者が所定のキャンペーン活動に参加可能であるか否かを判断する。そして、参加可能であると判断した場合に、所定の図柄を構成する複数の分割図柄の中の任意の分割図柄を選択し、選択した分割図柄に関する情報を出力することを特徴としている。
【０２２３】
この発明にかかる実施の形態のカード利用支援システム１００によれば、カードの利用履歴に基づいて、利用者に対して分割図柄に関する情報を提供することができる。分割図柄は、参加要求を受け付けるごとに選択されるため、同一の利用者からの参加要求を複数回受け付けた場合は、当該利用者に対して異なる複数の分割図柄を提供することができる。これによって、利用者に対して、所定の図柄がどのような図柄であるかを知るために分割図柄を集めさせることができる。分割図柄に関する情報はカードの利用履歴に基づいて提供されるため、分割図柄を集めさせることによりカードの利用促進を図ることができる。
【０２２４】
そして、利用者は、カードを利用することによって分割図柄の提供を受けることができ、提供を受けた分割図柄を集めて所定の図柄を完成させる娯楽として楽しむことができる。これによって、この発明にかかる実施の形態のカード利用支援システム１００によれば、カードを利用することに対してエンターテインメント性を付加することができ、カードの利用促進を図ることができる。
【０２２５】
また、この発明にかかる実施の形態のカード利用支援システム１００は、参加可能であると判断した場合に、受け付けた参加要求に含まれるカード情報にかかる第２カード情報を生成し、生成した第２カード情報と当該第２カード情報の生成にかかるカード情報とを関連付けて記憶し、選択した分割図柄に関する情報および生成された第２カード情報を出力し、出力した情報に基づいて、分割図柄に関する情報および第２カード情報を記録した、前記カードとは異なる第２カード１０００を発行させる。そして、カード情報または第２カード情報を含む決済要求を受け付けた場合に、受け付けた決済要求に基づいて決済処理をおこなうことを特徴としている。
【０２２６】
この発明にかかる実施の形態のカード利用支援システム１００によれば、カード（正カード）およびあらたに発行された第２カード１０００を用いてカード決済をおこなうことができる。これによって、この発明にかかる実施の形態のカード利用支援システム１００によれば、カードの利用機会を増やすことができ、カードの利用促進を図ることができる。
【０２２７】
第２カード１０００の発行に際しては、（正カード）の利用額と第２カード１０００の利用額との合計額が、正カードの利用限度額以下となるように第２カード１０００の利用限度額を設定することによって、カードの過剰利用を防止することができる。あるいは、第２カード１０００を利用した際は、第２カード１０００の利用額を正カードの利用限度額から差し引くことによって、カードの過剰利用を防止するようにしてもよい。
【０２２８】
また、この発明にかかる実施の形態のカード利用支援システム１００は、複数種類の図柄の中から任意の図柄を指定する図柄指定情報を受け付け、受け付けた図柄指定情報によって指定される図柄を構成する複数の分割図柄の中の任意の分割図柄を選択することを特徴としている。
【０２２９】
この発明にかかる実施の形態のカード利用支援システム１００によれば、分割図柄に関する情報の提供を受けた利用者に対して、当該利用者によって指定された図柄を構成する分割図柄に関する情報を提供することができる。これによって、利用者に対して、当該利用者が希望する図柄を完成させる娯楽を提供することができ、娯楽の興趣を高めることができるので、カードを利用することに対してエンターテインメント性を付加することができ、カードの利用促進を図ることができる。
【０２３０】
また、この発明にかかる実施の形態のカード利用支援システム１００は、分割図柄に関する情報の入力を受け付け、受け付けた分割図柄に関する情報に基づいて、所定の図柄の少なくとも一部を示す画像を生成し、生成した画像を出力することを特徴としている。
【０２３１】
この発明にかかる実施の形態のカード利用支援システム１００によれば、分割図柄に関する情報の提供を受けた利用者から入力を受け付けた当該分割図柄に関する情報に基づいて生成された画像を、当該利用者に提供することができる。複数の利用者からそれぞれ分割図柄に関する情報の入力を受け付けることにより、分割図柄が構成する所定の図柄がどのような図柄であるかを複数人が知ることができる。これによって、複数の利用者に対して、所定の図柄がどのような図柄であるかを知るために分割図柄を集めさせることができるため、カードの利用促進を図ることができる。
【０２３２】
そして、利用者は、カードを利用することによって分割図柄の提供を受けることができ、提供を受けた分割図柄を集めて所定の図柄を完成させる娯楽として楽しむことができる。これによって、この発明にかかる実施の形態のカード利用支援システム１００によれば、カードを利用することに対してエンターテインメント性を付加することができ、カードの利用促進を図ることができる。
【０２３３】
また、この発明にかかる実施の形態のカード利用支援システム１００は、参加可能であると判断した場合に選択した分割図柄の位置を指定する情報を出力し、所定期間内に受け付けた分割図柄に関する情報によって指定される位置における分割図柄を示す画像を生成することを特徴としている。
【０２３４】
この発明にかかる実施の形態のカード利用支援システム１００によれば、分割図柄に関する情報の提供を受けた利用者から入力を受け付けた当該分割図柄の、所定の図柄における位置を指定する情報を、当該利用者に提供することができる。これにより、分割図柄に関する情報の提供を受けた利用者に対して、当該利用者から分割図柄に関する情報の入力を受け付けてはじめて分割図柄がどのような図柄であるかを報知することができる。これによって、利用者に対して提供した分割図柄を集めて所定の図柄を完成させる娯楽の興趣を高めることができ、カードを利用することに対してエンターテインメント性を付加することができ、カードの利用促進を図ることができる。
【０２３５】
また、この発明にかかる実施の形態のカード利用支援システム１００は、カードの利用限度額の範囲内で利用可能な、カードとは別のカードである第２カード１０００に、参加可能であると判断した場合に選択した分割図柄に関する情報を記録することにより分割図柄に関する情報を出力することを特徴としている。
【０２３６】
この発明にかかる実施の形態のカード利用支援システム１００によれば、分割図柄に関する情報の提供を受けた利用者に対して、当該分割図柄に関する情報を提供するごとに別のカードを発行することができる。これによって、利用者に対して、当該利用者が収集状況を確認できる状態で分割図柄を集めさせることができるので、あたかも、ジグソーパズルのピースを集めるようなエンターテインメント性を付加することができ、カードの利用促進を図ることができる。
【０２３７】
また、第２カードは、カードの利用限度額の範囲内で利用可能であるため、カードに代えて第２カードを用いて決済をおこなうことができる。これによって、利用者は、カードを持ち歩くことなく、第２カードを用いて決済をおこなうことができるので、利用者に対してカード（正カード）の盗難や紛失のリスクを負担させることなく、決済に際しての高い利便性を提供することができる。
【０２３８】
また、この発明にかかる実施の形態のカード利用支援システム１００は、所定期間内において利用可能な第２カードに、参加可能であると判断した場合に選択した分割図柄に関する情報を記録することにより分割図柄に関する情報を出力することを特徴とすることができる。この場合、この発明にかかる実施の形態のカード利用支援システム１００によれば、利用期間が制限された第２カードを発行することができるので、第２カードを用いておこなう決済を促進することができ、これによってカードの利用促進を図ることができる。
【０２３９】
また、この発明にかかる実施の形態のカード利用支援システム１００は、所定回数利用可能な第２カードに、参加可能であると判断した場合に選択した分割図柄に関する情報を記録することにより分割図柄に関する情報を出力することを特徴とすることができる。この場合、この発明にかかる実施の形態のカード利用支援システム１００によれば、利用回数が制限された第２カードを発行することができるので、第２カードの発行を促進し、利用者に対して分割図柄を集めやすくさせることができる。これによって、第２カードを用いてカード決済をおこなうことによる高い利便性を提供しつつ、分割図柄を高効率で集めさせることによる高いエンターテインメント性を付加することができるので、カードの利用促進を図ることができる。
【０２４０】
上述した実施の形態においては、カード発行装置１２０あるいは利用者の端末装置１４０から、カード番号などのカード情報を含む参加要求を送信することによって、所定のキャンペーン活動への参加の意思を示す例について説明したが、これに限るものではない。参加要求は、たとえば、カード番号などのカード情報に加えて、あらかじめ配布されたキャンペーン参加用の識別情報を含んでいてもよい。
【０２４１】
キャンペーン参加用の識別情報は、たとえば、所定の媒体に記録した状態で配布することができる。所定の媒体は、たとえば、缶コーヒーや清涼飲料水に貼付されたシール、ガムなどの菓子類の包装容器など、小売店で販売している商品に設けることができる。キャンペーン参加用の識別情報は、たとえば、所定桁数の英数字、バーコード、二次元コードなどを用いて示すことができる。
【０２４２】
このように、所定の媒体に記録されたキャンペーン参加用の識別情報を含む参加要求を受け付けるようにした場合のカード利用支援システム１００によれば、カード番号などのカード情報に加えてキャンペーン参加用の識別情報を含む参加要求を受け付けた場合に、選択した分割図柄に関する情報を出力することができる。これによって、キャンペーン参加用の識別情報が記録された所定の媒体が設けられた商品の販売促進を図ることができる。
【０２４３】
また、キャンペーン参加用の識別情報を記録する所定の媒体は、たとえば、ポイントカードによって実現されるものであってもよい。この場合、たとえば、決済に際してポイントを発行するごとに当該ポイントカードに識別情報を記録するような運用とすることができる。そして、このように、ポイントカードによって実現される所定の媒体に記録されたキャンペーン参加用の識別情報と、カード番号などのカード情報とを含む参加要求を受け付けるようにしたカード利用支援システム１００によれば、ポイントカードを取り扱う店舗における商品やサービスの販売促進を図ることができる。
【０２４４】
また、上述した実施の形態においては、所定のキャンペーン活動が、複数の分割図柄によって形成される所定の図柄を完成させることを目的として利用者の参加を募る運動である例を説明したが、所定の図柄は、複数の分割図柄によってはじめて完成するものに限らない。所定の図柄を形成する複数の分割図柄の中の任意の分割図柄に代えて、たとえば、上記と同様にして利用者が参加可能であると判断した場合に、一定の共通点を有する複数種類の図柄の中の任意の図柄を選択し、選択した図柄が記録された第２カードを発行させるようにしてもよい。
【０２４５】
この発明にかかる実施の形態のカード利用支援システム１００によれば、カードの利用履歴に基づいて、当該カードの利用者に対して、一定の共通点を有する複数種類の図柄の中の任意の図柄が記録された別のカードを提供することができる。
【０２４６】
具体的には、一定の共通点を有する複数種類の図柄は、たとえば、映画の各登場人物、アニメのキャラクター、アイドルグループの各構成員、特定車種の車両の各モデルなどによって実現することができる。これによって、利用者に対して、たとえば、映画の登場人物が一人ずつ記録された複数枚の別のカード、アニメのキャラクターが１種類ずつ記録された複数枚の別のカード、アイドルグループの構成員が一人ずつ記録された複数枚の別のカード、特定車種の車両が１モデルずつ記録された複数枚の別のカードなどを提供することができる。
【０２４７】
このように、所定の図柄を形成する複数の分割図柄の中の任意の分割図柄に代えて、一定の共通点を有する複数種類の図柄の中の任意の図柄が記録された第２カードを発行することにより、一定の共通点を有する一連のシリーズの図柄を集めさせることができる。第２カードはカード（正カード）の利用履歴に基づいて発行されるため、一定の共通点を有する複数種類の図柄の中の任意の図柄が記録された複数枚の第２カードを集めさせることによりカードの利用促進を図ることができる。
【０２４８】
また、上述した実施の形態において、第２カードは、カード（正カード）の利用限度額の範囲内で利用可能としてもよい。カード（正カード）の利用限度額の範囲内で利用可能な第２カードとすることにより、一連の第２のカードをすべて収集するために、利用者がカード（正カード）を過剰に利用することを防止することができる。そして、このようにカード（正カード）の過剰利用を防止することにより、カードの使い過ぎを危惧するために利用者がカード（正カード）の利用を控えることを防止することができる。これによってカードの利用促進を妨げる懸念を低減し、カードの利用促進を図ることができる。
【０２４９】
この発明にかかる実施の形態のカード利用支援システム１００は、所定のキャンペーン活動期間中、すなわち所定の図柄が完成するまでの間に、同一の分割図柄を複数回選択することが可能であるため、たとえば、参加要求を送信することによって参加の意思を示したものの、当該参加要求に対応する分割図柄に関する情報を含む画像生成要求を送信しない利用者が存在した場合にも、所定の図柄が完成しないという状況が発生することを防止できる。
【０２５０】
この発明にかかる実施の形態のカード利用支援システム１００においては、カード利用支援装置１１０と利用者の端末装置１４０とが通信可能であって、利用者の端末装置１４０において分割図柄に関する情報を受信できるとともに、利用者の端末装置１４０から分割図柄に関する情報を送信することができ、また、利用者の端末装置１４０において表示画面１２１０、１２２０、１２３０を表示することができる。これにより、利用者は、当該利用者に対して発行された分割図柄に関する情報を含む画像生成要求対応する分割図柄が、他の利用者によって既に登録されているかどうかを、インターネットなどのネットワークを介して適宜確認することができる（図１５、図１６および図１７を参照）。
【０２５１】
図１５、図１６および図１７は、ワンタイムカードパズルゲームの進行状況を確認する際の表示画面例を示す説明図である。図１５、図１６および図１７において、表示画面１５００、１６００、１７００は、利用者が利用者の端末装置１４０の操作部５１９、５２９に対して所定の入力操作をおこなうことによってディスプレイ５１８、５２８に表示される。
【０２５２】
表示画面１５００は、表示画面１１００と同様に、カード番号、カードの利用者、第２カード番号（図１５においては「パズル番号」と記載）を入力する入力枠を表示する。カードの利用者は、表示画面１５００が表示された状態で操作部５１９、５２９に対して所定の入力操作をおこなうことによってカード（正カード）のカード番号、カードの利用者の氏名、事前に発行された第２カード番号（パズル番号）を入力する。
【０２５３】
表示画面１６００は、表示画面１５００が表示された状態で入力された第２カード番号（パズル番号）に該当する分割図柄が他の利用者によって既に登録されている場合に、利用者の端末装置１４０のディスプレイ５１８、５２８に表示される。表示画面１６００においては、たとえば、ワンタイムカードパズルゲームの進行状況を確認することができる場所に関する情報を表示してもよい。
【０２５４】
表示画面１７００は、表示画面１５００が表示された状態で入力された第２カード番号（パズル番号）に該当する分割図柄が未登録である場合に、利用者の端末装置１４０のディスプレイ５１８、５２８に表示される。表示画面１７００においては、たとえば、表示画面１６００と同様に、ワンタイムカードパズルゲームの進行状況を確認することができる場所に関する情報を表示してもよい。
【０２５５】
ワンタイムカードパズルゲームの進行状況を確認することができる場所（以下「進行状況確認場所」という）は、たとえば、ワンタイムカードパズルゲームの進行状況を示す表示画面を表示することができるコンピュータ装置あるいは当該コンピュータ装置によって駆動制御される表示装置の設置場所とすることができる。具体的には、たとえば、特定のカード発行装置１２０が所定のキャンペーン活動をおこなっている大型ショッピングセンターに設置されている場合、進行状況確認場所は、当該大型ショッピングセンターにおいて該当するコンピュータ装置あるいは表示装置が設置されているフロアや区画によって実現することができる。
【０２５６】
また、具体的には、たとえば、旅行会社がエジプトへの旅行を促すためのキャンペーンを上記の所定のキャンペーン活動として主催している場合、進行状況確認場所は、カイロ、アレキサンドリア、ギザなどのエジプトにおける都市によって実現することができる。同様に、具体的には、たとえば、旅行会社がヨーロッパへの旅行を促すためのキャンペーンを上記の所定のキャンペーン活動として主催している場合、進行状況確認場所は、パリ、ブリュッセル、アントワープなどのヨーロッパにおける都市によって実現することができる。
【０２５７】
そして、進行状況確認場所に関する情報は、たとえば、ワンタイムカードパズルゲームの進行状況を示す表示画面を表示することができるコンピュータ装置あるいは当該コンピュータ装置によって駆動制御される表示装置の設置場所を示す情報によって実現することができる。より具体的には、進行状況確認場所に関する情報は、たとえば、ワンタイムカードパズルゲームの進行状況を示す表示画面を表示することができるコンピュータ装置あるいは当該コンピュータ装置によって駆動制御される表示装置の設置場所をあらわした地図（画像情報）や、当該設置場所の住所をあらわす文字情報などによって実現することができる。
【０２５８】
また、表示画面１５００が表示された状態で入力された第２カード番号（パズル番号）に該当する分割図柄が未登録である場合、表示画面１７００においては、表示画面１５００が表示された状態で入力された第２カード番号（パズル番号）に該当する分割図柄を登録するか否かを確認する「はい」キーを表示してもよい。表示画面１７００においては、表示画面１５００が表示された状態で入力された第２カード番号（パズル番号）に該当する分割図柄を登録しない意思を示す「いいえ」キーなどがあってもよい。
【０２５９】
なお、上述した実施の形態においては、カード情報によって特定されるカードの利用者が所定のキャンペーン活動に参加可能である場合に、所定の図柄を構成する複数の分割図柄の中の任意の分割図柄すなわち分割図柄が示す図柄の内容を選択（決定）するカード利用支援システム１００について説明したが、分割図柄が示す図柄の内容が選択（決定）されるタイミングはこのタイミングに限るものではない。
【０２６０】
たとえば、参加要求を受け付ける時点においては所定の図柄や分割図柄の内容がわからない状況で参加要求の受け付けのみをおこない、参加要求の受け付けを締め切った後などにおける任意のタイミングにおいて、所定の図柄や分割図柄の内容を通知するようにしてもよい。
【０２６１】
具体的には、たとえば、参加要求を受け付ける任意の期間を設定し、当該任意の期間が終了した時点において、当該任意の期間中に受け付けた参加要求のそれぞれに対して、所定の図柄を構成する複数の分割図柄の中の任意の分割図柄すなわち分割図柄が示す図柄の内容を選択（決定）するようにしてもよい。
【０２６２】
これによって、カードの利用者は、任意の期間が終了するまでの間は自身に割り当てられた分割図柄すなわち分割図柄が示す図柄の内容を把握することができないため、任意の期間が終了するまでの間、自身に割り当てられた分割図柄すなわち分割図柄が示す図柄の内容を想像して楽しむことができる。
【０２６３】
また、任意の期間が終了するまでの間は自身に割り当てられた分割図柄すなわち分割図柄が示す図柄の内容を把握することができないため、たとえば「もしかしたら、同じ図柄が複数割り当てられているかもしれない」などのように考え、該当するキャンペーン活動に対して複数回の参加要求をおこなうことが考えられる。所定のキャンペーン活動に参加可能であるか否かは、カード情報によって特定されるカードの利用者のカードの利用履歴に基づいて判断されるため、任意の期間が終了するまでの間は自身に割り当てられた分割図柄すなわち分割図柄が示す図柄の内容を把握することができないような運用とすることにより、カードの利用促進を図ることができる。
【０２６４】
また、上述した実施の形態においては、所定の図柄を形成する分割図柄の数があらかじめ定められている例について説明したが、所定の図柄を形成する分割図柄の数は、あらかじめ定められているものに限らない。具体的には、たとえば、上記と同様に、参加要求を受け付ける任意の期間を設定し、任意の期間中に受け付けた参加要求のそれぞれに一つずつ異なる分割図柄が選択されるように、当該任意の期間が終了した時点において、当該任意の期間中に受け付けた参加要求の数に応じて所定の図柄を分割するようにしてもよい。
【０２６５】
この場合、任意の期間（たとえば１ヶ月間）において所定のキャンペーン活動に参加したカードの利用者が１００人であれば、所定の図柄の１／１００の分割図柄が、参加要求をおこなったすべてのカードの利用者にそれぞれ割り当てられる。あるいは、任意の期間（たとえば２ヶ月間）において所定のキャンペーン活動に参加したカードの利用者が７００人であれば、所定の図柄の１／７００の分割図柄が、参加要求をおこなったすべてのカードの利用者にそれぞれ割り当てられる。
【０２６６】
また、上述した実施の形態においては、受け付けた参加要求に基づいてカードの利用履歴を取得し、取得した利用履歴のうちカードの利用金額に基づいて、カード情報によって特定されるカードの利用者が所定のキャンペーン活動に参加可能であるか否かを判断する例について説明したが、カードの利用者が所定のキャンペーン活動に参加可能であるか否かの判断基準はカードの利用履歴のうちカードの利用金額に限るものではない。
【０２６７】
たとえば、カードの利用履歴のうちカードの利用金額に代えて、所定のキャンペーン活動に関する商品の利用があったことを示す情報の有無を参加の条件とすることができる。具体的には、たとえば、カード利用履歴データベース７００に基づいて、カードの利用履歴情報から該当する特定の情報を抽出し、特定の情報の抽出ができた場合に所定のキャンペーン活動に参加可能であると判断するようにしてもよい。
【０２６８】
具体的には、たとえば、缶コーヒーや清涼飲料水を購入する際の支払い、ガムなどの菓子類を購入する際の支払い、所定のサービス（理髪、マッサージ、温泉施設の利用、など）に対する支払いなど、特定の商品あるいはサービスの対価をカード決済によって支払った場合に、当該支払いに供されたカードの利用者が所定のキャンペーン活動に参加可能であると判断するようにしてもよい。この場合、具体的には、たとえば、缶コーヒーであっても、Ａ社の缶コーヒーの対価をカードで支払った場合はカードの利用者は所定のキャンペーン活動に参加可能であると判断し、Ｂ社の缶コーヒーの購入者がその対価をカードで支払った場合はカードの利用者は所定のキャンペーン活動への参加は不可能であると判断する。
【０２６９】
このように、特定の商品の対価をカードで支払ったカードの利用者を、所定のキャンペーン活動に参加可能なカードの利用者であると判断することにより、カードの利用促進を図るとともに、特定の商品の販売促進を図ることができる。この場合、所定のキャンペーン活動に参加可能であると判断されたカードの利用者に対しては、当該カードの利用者の端末装置１４０に対して、所定のキャンペーン活動への参加権利が付与されたことを案内する電子メールなどを送信することによって所定のキャンペーン活動に参加可能であることを案内することができる。また、この場合、所定のキャンペーン活動への参加権利が付与されたことを案内する電子メールの送信先は、たとえば、上記の利用者データベース６００に基づいて、特定の商品の対価の支払いに際して利用されたカードのカード番号に関連付けられた電子メールアドレスとすることができる。
【０２７０】
なお、カード発行装置１２０が発行した、分割図柄そのものを示す画像情報を記録したカードは、パズルゲームへの参加のために利用するものに限らない。分割図柄そのものを示す画像情報を記録したカードは、カードの発行を受けたカードの利用者が、該当する所定の図柄を個人で完成させ、完成させた所定の図柄を鑑賞することを目的として収集されるものであってもよい。カード発行装置１２０が発行した、分割図柄そのものを示す画像情報を記録したカードを上記のようにして利用する場合、当該カードを収集する利用者は競争相手がいない状態で、所定の図柄をゆっくりと時間をかけて完成させることができる。
【０２７１】
なお、この実施の形態で説明したカード利用支援方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０２７２】
以上のように、この発明にかかるカード利用支援システムは、現金に代わる決済手段として機能するカードの利用を支援するカード利用支援システムに有用であり、特に、クレジットカードなどのカードの利用を支援するカード利用支援システムに適している。
【符号の説明】
【０２７３】
１００  カード利用支援システム
１１０  カード利用支援装置
１２０  カード発行装置
１３０  決済端末
１４０  利用者の端末装置
１３１０  決済要求送信部
１３１１  決済結果受信部
１３１２  決済結果出力部
１３２０  参加申込受付部
１３２１  参加要求送信部
１３２２  図柄指定受付部
１３２３  図柄指定情報送信部
１３２４  分割図柄情報受信部
１３２５  カード発行部
１３２６  カード情報読取部
１３２７  分割図柄情報送信部
１３２８  画像情報受信部
１３２９  表示部
１３３０  分割図柄情報受信部
１３３１  表示部
１３３２  入力受付部
１３３３  分割図柄情報送信部
１３３４  画像情報受信部
１３４０  参加要求受付部
１３４１  利用履歴取得部
１３４２  記憶部
１３４３  参加可否判断部
１３４４  図柄指定情報受付部
１３４５  分割図柄選択部
１３４６  第２カード情報生成部
１３４７  分割図柄情報出力部
１３４８  分割図柄情報受付部
１３４９  画像生成部
１３５０  出力部
１３５１  決済要求受付部
１３５２  決済処理部
１３５３  決済結果送信部
【図１】
0005719589.tif 000002
【図２】
0005719589.tif 000003
【図３】
0005719589.tif 000004
【図４−１】
0005719589.tif 000005
【図４−２】
0005719589.tif 000006
【図５−１】
0005719589.tif 000007
【図５−２】
0005719589.tif 000008
【図６】
0005719589.tif 000009
【図７】
0005719589.tif 000010
【図８】
0005719589.tif 000011
【図９】
0005719589.tif 000012
【図１０−１】
0005719589.tif 000013
【図１０−２】
0005719589.tif 000014
【図１１】
0005719589.tif 000015
【図１２−１】
0005719589.tif 000016
【図１２−２】
0005719589.tif 000017
【図１２−３】
0005719589.tif 000018
【図１３】
0005719589.tif 000019
【図１４−１】
0005719589.tif 000020
【図１４−２】
0005719589.tif 000021
【図１４−３】
0005719589.tif 000022
【図１５】
0005719589.tif 000023
【図１６】
0005719589.tif 000024
【図１７】
0005719589.tif 000025